(57)【要約】  本願は、端末の消費電力を低減することができる無線通信方法及びデバイスを提供する。該方法は、端末デバイスが使用する可能な受信アンテナポートの数又は最小数を示す指示情報を端末デバイスに送信することを含む。
2021530886.tif 000002
【特許請求の範囲】
【請求項１】
端末デバイスが使用する可能な受信アンテナポートの数又は最小数を示す指示情報を前記端末デバイスに送信することを含む
ことを特徴とする無線通信方法。
【請求項２】
前記方法は、さらに、
前記端末により送信された、ネットワークデバイスに受信アンテナポートの数又は最小数を要求するための要求メッセージを受信することを含み、
前記端末デバイスに指示情報を送信することは、
前記要求メッセージに基づいて、前記指示情報を送信することを含む
ことを特徴とする請求項１に記載の無線通信方法。
【請求項３】
前記要求メッセージには、受信アンテナポートの数又は最小数を要求するための原因値、及び／又は所望の受信アンテナポートの数又は最小数が含まれる
ことを特徴とする請求項２に記載の無線通信方法。
【請求項４】
前記方法は、さらに、
前記受信アンテナポートの数又は最小数に基づいて、下り送信を行うことを含む
ことを特徴とする請求項１〜３のいずれか１項に記載の無線通信方法。
【請求項５】
前記指示情報は、ブロードキャストメッセージ又は無線リソース制御ＲＲＣに搬送される
ことを特徴とする請求項１〜４のいずれか１項に記載の無線通信方法。
【請求項６】
前記ブロードキャストメッセージは、残り最小システム情報ＲＭＳＩ、他のシステム情報ＯＳＩ又は物理ブロードキャストチャネルＰＢＣＨである
ことを特徴とする請求項５に記載の無線通信方法。
【請求項７】
前記端末デバイスに指示情報を送信することは、
前記端末デバイスの下りチャネル状態、セルカバレッジ状況、前記端末デバイスのバッテリ残量及び端末のサービス状況のうちの少なくとも１つに基づいて、前記端末デバイスに前記指示情報を送信することを含む
ことを特徴とする請求項１〜６のいずれか１項に記載の無線通信方法。
【請求項８】
前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する
ことを特徴とする請求項１〜７のいずれか１項に記載の無線通信方法。
【請求項９】
前記方法は、
ｎ７、ｎ３８、ｎ４１、ｎ７７、ｎ７８又はｎ７９の周波数帯域の通信に使用される
ことを特徴とする請求項１〜８のいずれか１項に記載の無線通信方法。
【請求項１０】
ネットワークデバイスにより送信された、端末デバイスが使用する可能な受信アンテナポートの数又は最小数を示す指示情報を受信することと、
前記指示情報に基づいて、下り受信を行うこととを含む
ことを特徴とする無線通信方法。
【請求項１１】
前記方法は、さらに、
前記ネットワークデバイスに受信アンテナポートの数又は最小数を要求するための要求メッセージを前記ネットワークデバイスに送信することを含む
ことを特徴とする請求項１０に記載の無線通信方法。
【請求項１２】
前記要求メッセージには、受信アンテナポートの数又は最小数を要求するための原因値、及び／又は所望の受信アンテナポートの数又は最小数が含まれる
ことを特徴とする請求項１１に記載の無線通信方法。
【請求項１３】
前記指示情報は、ブロードキャストメッセージ又は無線リソース制御ＲＲＣに搬送される
ことを特徴とする請求項１０〜１２のいずれか１項に記載の無線通信方法。
【請求項１４】
前記ブロードキャストメッセージは、残り最小システム情報ＲＭＳＩ、他のシステム情報ＯＳＩ又は物理ブロードキャストチャネルＰＢＣＨである
ことを特徴とする請求項１３に記載の無線通信方法。
【請求項１５】
前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する
ことを特徴とする請求項１０〜１４のいずれか１項に記載の無線通信方法。
【請求項１６】
前記方法は、
ｎ７、ｎ３８、ｎ４１、ｎ７７、ｎ７８又はｎ７９の周波数帯域の通信に使用される
ことを特徴とする請求項１０〜１５のいずれか１項に記載の無線通信方法。
【請求項１７】
送信ユニットを備えるネットワークデバイスであって、
前記送信ユニットは、端末デバイスが使用する可能な受信アンテナポートの数又は最小数を示す指示情報を端末デバイスに送信するように構成される
ことを特徴とするネットワークデバイス。
【請求項１８】
前記ネットワークデバイスは、さらに、受信ユニットを含み、
前記受信ユニットは、前記端末により送信された、ネットワークデバイスに受信アンテナポートの数又は最小数を要求するための要求メッセージを受信するように構成され、
前記送信ユニットは、さらに、前記要求メッセージに基づいて、前記指示情報を送信するように構成される
ことを特徴とする請求項１７に記載のネットワークデバイス。
【請求項１９】
前記要求メッセージには、受信アンテナポートの数又は最小数を要求するための原因値、及び／又は所望の受信アンテナポートの数又は最小数が含まれる
ことを特徴とする請求項１８に記載のネットワークデバイス。
【請求項２０】
前記送信ユニットは、さらに、
前記受信アンテナポートの数又は最小数に基づいて、下り送信を行うように構成される
ことを特徴とする請求項１７〜１９のいずれか１項に記載のネットワークデバイス。
【請求項２１】
前記指示情報は、ブロードキャストメッセージ又は無線リソース制御ＲＲＣに搬送される
ことを特徴とする請求項１７〜２０のいずれか１項に記載のネットワークデバイス。
【請求項２２】
前記ブロードキャストメッセージは、残り最小システム情報ＲＭＳＩ、他のシステム情報ＯＳＩ又は物理ブロードキャストチャネルＰＢＣＨである
ことを特徴とする請求項２１に記載のネットワークデバイス。
【請求項２３】
前記送信ユニットは、さらに、
前記端末デバイスの下りチャネル状態、セルカバレッジ状況、前記端末デバイスのバッテリ残量及び端末のサービス状況のうちの少なくとも１つに基づいて、前記端末デバイスに前記指示情報を送信するように構成される
ことを特徴とする請求項１７〜２２のいずれか１項に記載のネットワークデバイス。
【請求項２４】
前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する
ことを特徴とする請求項１７〜２３のいずれか１項に記載のネットワークデバイス。
【請求項２５】
前記デバイスは、
ｎ７、ｎ３８、ｎ４１、ｎ７７、ｎ７８又はｎ７９の周波数帯域の通信に使用される
ことを特徴とする請求項１７〜２４のいずれか１項に記載のネットワークデバイス。
【請求項２６】
受信ユニットを備える端末デバイスであって、
前記受信ユニットは、ネットワークデバイスにより送信された、端末デバイスが使用する可能な受信アンテナポートの数又は最小数を示す指示情報を受信し、
前記指示情報に基づいて、下り受信を行うように構成される
ことを特徴とする端末デバイス。
【請求項２７】
前記端末デバイスは、さらに、送信ユニットを含み、
前記送信ユニットは、前記ネットワークデバイスに受信アンテナポートの数又は最小数を要求するための要求メッセージを前記ネットワークデバイスに送信するように構成される
ことを特徴とする請求項２６に記載の端末デバイス。
【請求項２８】
前記要求メッセージには、受信アンテナポートの数又は最小数を要求するための原因値、及び／又は所望の受信アンテナポートの数又は最小数が含まれる
ことを特徴とする請求項２７に記載の端末デバイス。
【請求項２９】
前記指示情報は、ブロードキャストメッセージ又は無線リソース制御ＲＲＣに搬送される
ことを特徴とする請求項２６〜２８のいずれか１項に記載の端末デバイス。
【請求項３０】
前記ブロードキャストメッセージは、残り最小システム情報ＲＭＳＩ、他のシステム情報ＯＳＩ又は物理ブロードキャストチャネルＰＢＣＨである
ことを特徴とする請求項２９に記載の端末デバイス。
【請求項３１】
前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する
ことを特徴とする請求項２６〜３０のいずれか１項に記載の端末デバイス。
【請求項３２】
前記デバイスは、
ｎ７、ｎ３８、ｎ４１、ｎ７７、ｎ７８又はｎ７９の周波数帯域の通信に使用される
ことを特徴とする請求項２６〜３１のいずれか１項に記載の端末デバイス。
【請求項３３】
コンピュータプログラムを格納するメモリと、前記メモリに格納されたコンピュータプログラムを呼び出して実行して請求項１〜９のいずれか１項に記載の方法を実行するプロセッサと、を備える
ことを特徴とするネットワークデバイス。
【請求項３４】
コンピュータプログラムを格納するメモリと、前記メモリに格納されたコンピュータプログラムを呼び出して実行して請求項１０〜１６のいずれか１項に記載の方法を実行するプロセッサと、を備える
ことを特徴とする端末デバイス。
【請求項３５】
コンピュータプログラムをメモリから呼び出して、請求項１〜９のいずれか１項に記載の方法をチップが搭載された装置に実行させるプロセッサを有する
ことを特徴とするチップ。
【請求項３６】
コンピュータプログラムをメモリから呼び出して、請求項１０〜１６のいずれか１項に記載の方法をチップが搭載された装置に実行させるプロセッサを有する
ことを特徴とするチップ。
【請求項３７】
請求項１〜９のいずれか１項に記載の方法をコンピュータに実行させるコンピュータプログラムを記憶する
ことを特徴とするコンピュータ可読記憶媒体。
【請求項３８】
請求項１０〜１６のいずれか１項に記載の方法をコンピュータに実行させるコンピュータプログラムを記憶する
ことを特徴とするコンピュータ可読記憶媒体。
【請求項３９】
請求項１〜９のいずれか１項に記載の方法をコンピュータに実行させるコンピュータプログラム命令を含む
ことを特徴とするコンピュータプログラム製品。
【請求項４０】
請求項１０〜１６のいずれか１項に記載の方法をコンピュータに実行させるコンピュータプログラム命令を含む
ことを特徴とするコンピュータプログラム製品。
【請求項４１】
請求項１〜９のいずれか１項に記載の方法をコンピュータに実行させる
ことを特徴とするコンピュータプログラム。
【請求項４２】
請求項１０〜１６のいずれか１項に記載の方法をコンピュータに実行させる
ことを特徴とするコンピュータプログラム。
【発明の詳細な説明】
【技術分野】
【０００１】
本願は、通信分野に関し、具体的に、無線通信方法、ネットワークデバイス及び端末デバイスに関する。
【背景技術】
【０００２】
５Ｇ通信技術は、帯域幅が広く、ピークレートが高く、遅延が少ないという特徴を有し、例えば、数Ｇｂｐｓ又は数十Ｇｂｐｓの伝送レートで数百ＭＨｚ、数ＧＨｚの帯域まで伝送できる。
【０００３】
したがって、５Ｇ技術は、リアルタイムハイビジョンビデオライブ、ハイビジョン映画ダウンロード、拡張現実( Ａｕｇｍｅｎｔｅｄ Ｒｅａｌｉｔｙ、ＡＲ )、および仮想現実( Ｖｉｒｔｕａｌ Ｒｅａｌｉｔｙ、ＶＲ )などのサービスをサポートすることができ、非常に良好なユーザ体験をもたらすことが期待される。
【０００４】
しかしながら、大きい帯域幅、および、高レートの伝送は、５Ｇの端末にとって多くの課題をもたらし、大きい帯域幅は、端末の無線周波数経路の電力消費(例えば、アナログ-デジタル変換器( Ａｎａｌｏｇ ｔｏ Ｄｉｇｉｔａｌ ｃｏｎｖｅｒｔｅｒ、ＤＡＣ ) /デジタル-アナログ変換器( Ｄｉｇｉｔａｌ ｔｏ Ａｎａｌｏｇ ｃｏｎｖｅｒｔｅｒ、ＤＡＣ ） ＡＤＣ / ＤＡＣ、電力増幅器( Ｐｏｗｅｒ Ａｍｐｌｉｆｉｅｒ、ＰＡ )およびフィルタなどの、無線周波数デバイスの電力消費)の急激な上昇をもたらし、高レートの伝送は、端末のベースバンド処理の部品(例えば、フィルタ、デジタル信号プロセッサ( Ｄｉｇｉｔａｌ Ｓｉｇｎａｌ Ｐｒｏｃｅｓｓｏｒ、ＤＳＰ )、フィールドプログラマブルゲートアレイ( Ｆｉｅｌｄ−Ｐｒｏｇｒａｍｍａｂｌｅ Ｇａｔｅ Ａｒｒａｙ、ＦＰＧＡ )の部品など)が高速で動作することを必要とし、電力消費の増加をもたらす。
【０００５】
従って、５Ｇ端末の消費電力の問題をどのように解決するかが、解決すべき課題である。
【発明の概要】
【０００６】
本願の実施例は、端末の消費電力を低減することができる無線通信方法及びデバイスを提供する。
【０００７】
第１の態様は、無線通信方法を提供し、
端末デバイスが使用する可能な受信アンテナポートの数又は最小数を示す指示情報を端末デバイスに送信することを含む。
【０００８】
第１の態様を結合し、第１の態様の実現可能な形態において、前記方法は、さらに、
前記端末により送信された、ネットワークデバイスに受信アンテナポートの数又は最小数を要求するための前記要求メッセージを受信することを含み、
前記端末デバイスに指示情報を送信することは、
前記要求メッセージに基づいて、前記指示情報を送信することを含む。
【０００９】
第１の態様又は上記の実現可能な形態において、第１の態様の他の実現可能な形態において、前記要求メッセージには、受信アンテナポートの数又は最小数を要求するための原因値、及び／又は所望の受信アンテナポートの数又は最小数が含まれる。
【００１０】
第１の態様又は上記の実現可能な形態において、第１の態様の他の実現可能な形態において、前記方法は、さらに、
前記受信アンテナポートの数又は最小数に基づいて、下り送信を行うことを含む。
【００１１】
第１の態様又は上記の実現可能な形態において、第１の態様の他の実現可能な形態において、前記指示情報は、ブロードキャストメッセージ又は無線リソース制御ＲＲＣに搬送される。
【００１２】
第１の態様又は上記の実現可能な形態において、第１の態様の他の実現可能な形態において、前記ブロードキャストメッセージは、残り最小システム情報ＲＭＳＩ、他のシステム情報ＯＳＩ又は物理ブロードキャストチャネルＰＢＣＨである。
【００１３】
第１の態様又は上記の実現可能な形態において、第１の態様の他の実現可能な形態において、前記端末デバイスに指示情報を送信することは、
前記端末デバイスの下りチャネル状態、セルカバレッジ状況、前記端末デバイスのバッテリ残量及び端末のサービス状況のうちの少なくとも１つに基づいて、前記端末デバイスに前記指示情報を送信することを含む。
【００１４】
第１の態様又は上記の実現可能な形態において、第１の態様の他の実現可能な形態において、前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する。
【００１５】
第１の態様又は上記の実現可能な形態において、第１の態様の他の実現可能な形態において、前記方法は、
ｎ７、ｎ３８、ｎ４１、ｎ７７、ｎ７８又はｎ７９の周波数帯域の通信に使用される。
【００１６】
第２の態様は、無線通信方法を提供し、
ネットワークデバイスにより送信された、端末デバイスが使用する可能な受信アンテナポートの数又は最小数を示す指示情報を受信することと、
前記指示情報に基づいて、下り受信を行うこととを含む。 
第２の態様を結合し、第２の態様の実現可能な形態において、前記方法は、さらに、
前記ネットワークデバイスに受信アンテナポートの数又は最小数を要求するための要求メッセージを前記ネットワークデバイスに送信することを含む。
【００１７】
第２の態様又は上記の実現可能な形態において、第２の態様の他の実現可能な形態において、前記要求メッセージには、受信アンテナポートの数又は最小数を要求するための原因値、及び／又は所望の受信アンテナポートの数又は最小数が含まれる。
【００１８】
第２の態様又は上記の実現可能な形態において、第２の態様の他の実現可能な形態において、前記指示情報は、ブロードキャストメッセージ又は無線リソース制御ＲＲＣに搬送される。
【００１９】
第２の態様又は上記の実現可能な形態において、第２の態様の他の実現可能な形態において、前記ブロードキャストメッセージは、残り最小システム情報ＲＭＳＩ、他のシステム情報ＯＳＩ又は物理ブロードキャストチャネルＰＢＣＨである。
【００２０】
第２の態様又は上記の実現可能な形態において、第２の態様の他の実現可能な形態において、前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する。
【００２１】
第２の態様又は上記の実現可能な形態において、第２の態様の他の実現可能な形態において、前記方法は、
ｎ７、ｎ３８、ｎ４１、ｎ７７、ｎ７８又はｎ７９の周波数帯域の通信に使用される。
【００２２】
第３の態様は、上記第１の態様またはその様々な実施例の方法を実行するためのネットワークデバイスを提供する。
【００２３】
具体的には、このネットワークデバイスは、上記の第１の態様またはその様々な実施例における方法を実行するための機能モジュールを含む。
【００２４】
第４の態様は、上記第２の態様またはその様々な実施例の方法を実行するための端末デバイスを提供する。
【００２５】
具体的には、この端末デバイスは、上記の第２の態様またはその様々な実施例における方法を実行するための機能モジュールを含む。
【００２６】
第５の態様は、プロセッサとメモリとを含むネットワークデバイスを提供する。このメモリは、コンピュータプログラムを記憶するためのものであり、このプロセッサは、このメモリに記憶されたコンピュータプログラムを呼び出して実行し、上記第１の態様またはその各実施例における方法を実行するためのものである。
【００２７】
第６の態様は、プロセッサとメモリとを含む端末デバイスを提供する。このメモリは、コンピュータプログラムを記憶するためのものであり、このプロセッサは、このメモリに記憶されたコンピュータプログラムを呼び出して実行し、上記第の態様またはその各実施例における方法を実行するためのものである。
【００２８】
第７の態様は、上記の第１の態様から第２の態様のいずれかまたはその様々な実装における方法を実装するためのチップを提供する。
【００２９】
具体的には、チップは、コンピュータプログラムをメモリから呼び出して実行し、チップが搭載された装置に、上記の第１の態様から第２の態様のいずれか１つまたはその各実装態様に従う方法を実行させるプロセッサを含む。
【００３０】
第８の態様は、コンピュータに、上記の第１の態様から第２の態様のいずれか１つまたはその各実装形態における方法を実行させるコンピュータプログラムを記憶するためのコンピュータ可読記憶媒体を提供する。
【００３１】
第９の態様は、コンピュータに、上記の第１の態様から第２の態様のいずれか１つまたはその様々な実装形態における方法を実行させるコンピュータプログラム命令を含むコンピュータプログラム製品を提供する。
【００３２】
第１０の態様は、コンピュータ上で実行されると、コンピュータに、上記の第１の態様から第２の態様のいずれか１つまたはその様々な実装形態における方法を実行させるコンピュータプログラムを提供する。
【００３３】
このように、本願の実施例では、ネットワークデバイスが端末デバイスに対して下り受信を行う際に使用する受信アンテナポートの数又は最小数を指示し、最多の受信アンテナポートで下り受信せず、下り受信時の消費電力を低減し、省電力化を図ることができ、端末デバイスの待機時間や使用時間を長くすることができる。
【図面の簡単な説明】
【００３４】
【図１】本願の実施例における通信システムの模式図である。
【図２】本願の実施例における無線通信方法のフローチャートである。
【図３】本願の実施例におけるネットワークデバイスのブロック図である。
【図４】本願の実施例における端末デバイスのブロック図である。
【図５】本願の実施例における通信デバイスのブロック図である。
【図６】本願の実施例におけるチップのブロック図である。
【図７】本願の実施例における通信システムのブロック図である。
【発明を実施するための形態】
【００３５】
以下、本願の実施例における技術的解決策を、本願の実施例における添付図面と併せて、明確かつ完全に説明する。
【００３６】
以下、本願の実施例について図面を参照して説明するが、本願は、この実施例に限定されるものではなく、本願の技術的思想に基づく各種の変形が可能である。本願における実施例に基づいて、当業者が創造的な労働をすることなく得られる全ての他の実施例は、本願の保護範囲に属する。
【００３７】
本願の実施例の技術案は、例えば、全地球移動通信( Ｇｌｏｂａｌ Ｓｙｓｔｅｍ ｏｆ Ｍｏｂｉｌｅ ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ  Ｔｅｒｍ  Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )通信システム、又は５Ｇシステム等の様々な通信システムに適用可能である。
【００３８】
本願の実施例が適用される通信システム１００は、例えば図１に示すようなものである。通信システム１００は、端末デバイス１２０ (または通信端末、端末)と通信する装置であり得るネットワークデバイス１１０を含み得る。ネットワークデバイス１１０は、特定の地理的エリアに通信カバレージを提供し得、そのカバレージ内に位置する端末デバイスと通信し得る。任意選択で、ネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または、モバイルスイッチングハブ、中継局、アクセスポイント、車載デバイス、ウェアラブルデバイス、ハブ、スイッチ、ブリッジ、ルータ、５Ｇネットワークにおけるネットワーク側デバイス、または将来進化するパブリック地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００３９】
通信システム１００は、ネットワークデバイス１１０のカバレージ内に配置された少なくとも１つの端末デバイス１２０をさらに含む。本明細書で使用される「端末デバイス」としては、公衆交換電話網( Ｐｕｂｌｉｃ Ｓｗｉｔｃｈｅｄ Ｔｅｌｅｐｈｏｎｅ Ｎｅｔｗｏｒｋｓ、ＰＳＴＮ )、デジタル加入者線( Ｄｉｇｉｔａｌ Ｓｕｂｓｃｒｉｂｅｒ Ｌｉｎｅ、ＤＳＬ )、デジタルケーブル、直接ケーブル接続などの有線回線を介した接続、および/または別のデータ接続/ネットワーク、および/または、セルラネットワーク、ワイヤレスローカルエリアネットワーク( Ｗｉｒｅｌｅｓｓ Ｌｏｃａｌ Ａｒｅａ Ｎｅｔｗｏｒｋ、ＷＬＡＮ )、ＤＶＢ−Ｈネットワークなどのデジタルテレビジョンネットワーク、衛星ネットワーク、ＡＭ−ＦＭ放送受信機などの無線インターフェース、及び/又は通信信号を受信/送信するように構成された別の端末デバイスのための手段、および/またはモノのインターネット( Ｉｎｔｅｒｎｅｔ ｏｆ Ｔｈｉｎｇｓ、ＩｏＴ )装置を含む。無線インターフェースを介して通信するように設定された端末デバイスは、「無線通信端末」、「無線端末」、又は「移動端末」と称され得る。移動端末の例は、衛星又は携帯電話を含むがこれらに限定されなく、セルラー無線電話とデータ処理、ファクシミリ、及びデータ通信能力を組み合わせることができるパーソナル通信システム( Ｐｅｒｓｏｎａｌ Ｃｏｍｍｕｎｉｃａｔｉｏｎｓ Ｓｙｓｔｅｍ、ＰＣＳ )端末、ＰＤＡは、無線電話、ページャ、インターネット/イントラネット接続、ウェブブラウザ、メモ帳、カレンダー、及び/又は全地球測位システム( Ｇｌｏｂａｌ Ｐｏｓｉｔｉｏｎｉｎｇ Ｓｙｓｔｅｍ、ＧＰＳ )受信機を含み得、従来のノート型受信機やパームトップ型受信機等の電子機器に内蔵されている無線電話送受信機に適用してもよい。端末デバイスは、アクセス端末、ユーザ機器( Ｕｓｅｒ Ｅｑｕｉｐｍｅｎｔ、ＵＥ )、ユーザ機器、ユーザ局、移動局、リモート端末、モバイル機器、ユーザ端末、無線通信機器、ユーザエージェント、又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来開発されるＰＬＭＮにおける端末デバイスなどであり得る。
【００４０】
任意選択で、端末デバイス１２０間の端末直接接続( Ｄｅｖｉｃｅ ｔｏ Ｄｅｖｉｃｅ、Ｄ２Ｄ )通信が行われてもよい。
【００４１】
任意選択で、５Ｇシステム又は５Ｇネットワークは、新たなラジオ( Ｎｅｗ Ｒａｄｉｏ、ＮＲ )システム又はＮＲネットワークとも呼ばれ得る。
【００４２】
図１は、１つのネットワークデバイス及び２つの端末デバイスを例示的に示しているが、通信システム１００は、複数のネットワークデバイスを含んでもよく、各ネットワークデバイスのカバレージ内に他の数の端末デバイスを含んでもよく、本願の実施例はこれに限定されない。
【００４３】
任意選択で、通信システム１００は、ネットワークコントローラ、モビリティ管理エンティティなどの他のネットワークエンティティをさらに含むことができ、本開示の実施例はこれに限定されない。
【００４４】
なお、本願の実施例におけるネットワーク/システムにおける通信機能を有する装置を通信デバイスと呼ぶ場合がある。図１に示す通信システム１００を例にとると、通信デバイスは、通信機能を有するネットワークデバイス１１０及び端末デバイス１２０を含むことができ、ネットワークデバイス１１０及び端末デバイス１２０は、上述した具体的な装置であってもよく、ここでは詳しい説明を省略し、通信デバイスは、通信システム１００内の他のデバイス、例えば、ネットワークコントローラ、モビリティ管理エンティティ等の他のネットワークエンティティをさらに含むことができ、これは、本願の実施例において限定されない。
【００４５】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００４６】
図２は、本願の実施例による無線通信方法２００の概略的なフローチャートである。
【００４７】
任意選択で、本願の実施例の方法は、周波数帯域ｎ７、ｎ３８、ｎ４１、ｎ７７、ｎ７８、またはｎ７９の通信において使用され得る。
【００４８】
任意選択で、５Ｇ仕様が６ ＧＨＺ以下の周波数帯域にある必要があることを要求し、端末デバイスが、少なくとも４つの受信アンテナポートを、周波数帯ｎ７、ｎ３８、ｎ４１、ｎ７７、ｎ７８、ｎ７９ ( ３ ＧＰＰリリース１５ ３８.１０１において定義された周波数帯域である)に搭載することが可能である。周波数帯域ｎ３８、ｎ４１、ｎ７７、ｎ７８は、５ ＧＨｚの主要周波数帯域である可能性があるので、上記要求は、５Ｇ端末が上記周波数帯域をサポートしようとすると、少なくとも４つの受信アンテナポートを備える必要があることを意味する。しかし、ＬＴＥ端末は、一般的に２つの受信アンテナポートを実装する。受信アンテナポートの増加は、ＵＥがより多くの電力を消費することを意味し、それは、各受信アンテナポートが無線周波数経路に対応し、アンテナ、ＰＡ、ＡＤ / ＤＡ、フィルタ、さらにはベースバンド処理装置を含み、これらの構成要素が、終端電力を消費するからである。しかしながら、多くの使用シナリオでは、端末デバイスは、少なくとも４つの受信アンテナポートを使用する必要はなく、さもなければ、大きな電力消費をもたらす。したがって、本願の実施例の方法は、端末の消費電力の問題を解決することができる。
【００４９】
任意選択で、本願の実施例において、端末デバイスがより少ない受信アンテナポート(自身が備える受信アンテナポートよりも少ない)を用いて下り受信を行う動作モードは、マルチアンテナポートバック動作モードと呼ばれ得る。
【００５０】
任意選択で、本願の実施例において、端末デバイスの受信アンテナポートと端末デバイスの受信アンテナは一対一の関係であってもよいが、本願の実施例はこれに限定されず、例えば、端末デバイスの受信アンテナポートと端末デバイスの受信アンテナは一対多の関係であってもよく、具体的に実現することにより、本願の実施例はこれに限定されない。
【００５１】
２１０において、ネットワークデバイスが端末デバイスに指示情報を送信し、該指示情報は、端末デバイスが使用する可能な受信アンテナポートの数又は最小数を示す。
【００５２】
任意選択で、該指示情報が示す受信アンテナポートの数又は最小数は、端末デバイスが備える受信アンテナポートの数よりも小さくてもよいし、端末デバイスが備える受信アンテナポートの数と等しくてもよい。
【００５３】
例えば、端末デバイスが備える受信アンテナポートの数が４である場合、該指示情報が示す受信アンテナポートの数が４であっても良し、４よりも小さくてもよい。
【００５４】
なお、この指示情報は、端末デバイスが使用可能な受信アンテナポートの数または最小数を示すものであってもよく、例えば、その数及び最小数を明示的に示し、あるいは、その数や最小数を暗黙的に指示するようにしてもよく、例えば、その指示情報を搬送するリソース等によって指示するようにしてもよい。又は、ネットワークデバイスは、端末デバイスの要求メッセージを受信し、要求メッセージには所望に使用する受信アンテナポートの数または最小数を搬送し、ネットワークデバイスが要求メッセージに対する受けるメッセージを送信した場合、受けるメッセージは、上述の指示情報としてもよい。
【００５５】
任意選択で、本願の実施例において、この指示情報は、ブロードキャストメッセージに搬送され、例えば、物理ブロードキャストチャネル( Ｐｈｙｓｉｃａｌ Ｂｒｏａｄｃａｓｔｉｎｇ Ｃｈａｎｎｅｌ、ＰＢＣＨ )、残りの最小システム情報( Ｒｅｍａｉｎｉｎｇ Ｍｉｎｉｍｕｍ Ｓｙｓｔｅｍ Ｉｎｆｏｒｍａｔｉｏｎ、ＲＭＳＩ )、及び他のシステム情報( Ｏｔｈｅｒ Ｓｙｓｔｅｍ Ｉｎｆｏｒｍａｔｉｏｎ、ＯＳＩ )に搬送され得る。
【００５６】
なお、この指示情報は、他のメッセージ、例えば、無線リソース制御( Ｒａｄｉｏ Ｒｅｓｏｕｒｃｅ Ｃｏｎｔｒｏｌ、ＲＲＣ )メッセージに搬送されてもよく、本願実施例は、これを特に限定しない。
【００５７】
２２０において、端末デバイスがネットワークデバイスにより送信された該指示情報を受信する。
【００５８】
２３０において、端末デバイスが前記指示情報に基づいて、下り受信を行う。
【００５９】
任意選択で、本願の実施例において、ネットワークデバイスが受信アンテナポートの数又は最小数に基づいて下り送信を行うことができる。ここで、ネットワークデバイスが下り送信を行う場合、データ伝送のレイヤ数が、その数以下又は最小数であってもよい。
【００６０】
具体的には、ネットワークデバイスが指示情報によって、端末デバイスが備える受信アンテナポートの数未満の受信方式が許可するようにを指示した後、該受信方式が有効となった場合に、ネットワークデバイスによる端末デバイスのスケジューリングにおいて、前記指示情報によって指示された受信アンテナポート数以下のデータ層数でＭＩＭＯ（Ｍｕｌｔｉｐｌｅ−Ｉｎｐｕｔ Ｍｕｌｔｉｐｌｅ−Ｏｕｔｐｕｔ）伝送を行う。
【００６１】
例えば、ネットワークデバイスは、端末に２つのアンテナ受信ポートで受信するように指示した後、端末に対するデータスケジューリングをシングルレイヤデータ伝送又は最大２つのレイヤＭＩＭＯデータ伝送のいずれかで行う。
【００６２】
任意選択で、本願の実施例において、端末デバイスが指示情報が示す数又は最小数の受信アンテナポートで下り受信を行うことができる。
【００６３】
ここで、指示情報が受信アンテナポートの数を示す場合、端末デバイスが該数の受信アンテナポートで下り受信を行う方式で、下り送信を行う。
【００６４】
例えば、指示情報が受信アンテナポートの数が２であることを示す場合、端末デバイスが２つの受信アンテナポートで下り受信を行う。
【００６５】
又は、指示情報が受信アンテナポートの最小数を示す場合、端末デバイスが該数又は該数よりも大きい数の受信アンテナポートで下り受信を行うことができる。
【００６６】
例えば、指示情報が受信アンテナポートの最小数が２であることを示す場合、端末は、２つ、３つ又は４つの受信アンテナポートで下り受信を行う。
【００６７】
このように、本願の実施例において、ネットワークデバイスが、常に最多の受信アンテナポートを用いて下り受信を行うのではなく、端末デバイスに対して下り受信を行う際の受信アンテナポート数または最少数を指示することにより、下り受信時の消費電力を低減し、省電力化を図ることができる。
【００６８】
任意選択で、本願の実施例において、端末デバイスがネットワークデバイスに要求メッセージを送信し、前記要求メッセージは、前記ネットワークデバイスに受信アンテナポートの数又は最小数を要求する。ネットワークデバイスは、前記端末からの要求メッセージを受信し、前記要求メッセージに基づいて、前記指示情報を送信する。
【００６９】
この時、該指示情報は、任意選択で、無線リソース制御（Ｒａｄｉｏ Ｒｅｓｏｕｒｃｅ Ｃｏｎｔｒｏｌ、ＲＲＣ）シグナリングに搬送される。
【００７０】
具体的には、端末デバイスは、現在の受信アンテナポート数を変更するか、下り受信を行うか、あるいは何らかの下り受信を行う必要がある場合に、ネットワークデバイスに対して受信アンテナポート数または最小数を要求する要求メッセージを送信することができる。ネットワークデバイスは、この要求メッセージに基づいて指示情報を送信してもよい。
【００７１】
任意選択で、本願の実施例において、前記要求メッセージには、受信アンテナポートの数又は最小数を要求するための原因値、及び／又は所望の受信アンテナポートの数又は最小数が含まれる。
【００７２】
具体的に、端末デバイスが何らかの理由でネットワークデバイスに受信アンテナポートの数又は最小数を要求する必要がある場合、要求する原因値及び／又は所望の受信アンテナポートの数又は最小数をネットワークデバイスに送信することができ、これにより、ネットワークデバイスが指示情報を送信する。
【００７３】
任意選択で、本願の実施例において、ネットワークデバイスからの指示情報に示す、端末デバイスが使用する可能な受信アンテナポートの数又は最小数は、端末デバイスが所望する受信アンテナポートの数又は最小数と等しくてもよいし、（例えば、多くても少なくてもよい）端末デバイスが所望する受信アンテナポートの数又は最小数と等しくなくてもよい。
【００７４】
具体的に、周波数帯域ｎ７、ｎ３８、ｎ４１、ｎ７７、ｎ７８、ｎ７９をサポートする端末デバイスは、少なくとも４つの受信アンテナポートをサポートする必要があるが、多くの使用シナリオにおいて、端末デバイスは、４つの受信アンテナポートを使用する必要はない。例えば、ショートメッセージ、ＷＥＩＸＩＮメッセンジャーチャット等の小パケットのみをサポートする伝送シナリオでは、端末デバイスは、いずれも小さいパケット送信であるため、これらのシナリオでは４つの受信アンテナポートを使用する必要性は少なく、２つの受信アンテナポートを使用して受信する受信性能は十分であり、少ない受信アンテナポート(例えば、２つの受信アンテナポート)に対する４つの受信アンテナポートを使用する性能の向上は明らかではなく、また、端末デバイスは、４つの受信アンテナポートを使用して下り受信を行う場合、４つの受信パスを使用して下り信号を受信し処理する必要があり、大きな電力消費をもたらす。
【００７５】
また、端末デバイスが低電力状態で４つのアンテナ受信ポートをそのまま用いると、端末の待機時間を長くするのに不利であり、この場合、より少ない受信アンテナポート(例えば、２つの受信アンテナポート)に戻る動作モードが、待機時間を長くするのに有利である。
【００７６】
したがって、上記シナリオでは、端末デバイスの省電力化を達成するために、端末デバイスは、ネットワークデバイスに要求メッセージを送信し、低消費電力動作モードへの復帰を要求することができ、例えば、要求メッセージにおいて、自身が備える受信アンテナポートの数よりも少ない動作モードへ復帰を要求し、例えば、４つの受信アンテナポートの能力を備える端末は、要求情報によって、２つの受信アンテナポートの使用を要求する。 
ここで、端末デバイスは、低電力要求や低レート要求などの要求原因値を要求メッセージに含めてもよい。
【００７７】
ネットワークデバイスは、端末デバイスからの要求メッセージを受信した後、端末デバイスが低消費電力モードに移行することを許可すると判断した場合、端末デバイスに指示情報を送信してもよい。指示情報は、端末が低消費電力モードに移行することを許可することを指示し、さらに、端末の使用する最少となる受信アンテナポート数を指示することができる。例えば、４つの受信アンテナポートを備える端末に対して、要求メッセージによって２つの受信アンテナポートを要求すると、ネットワークデバイスは、指示情報によって、少なくとも２つの受信アンテナポートを使用するように端末に指示してもよい。もちろん、ネットワークデバイスは、端末デバイスの要求を拒否し、端末デバイスが４つのの受信アンテナポートを用いて下り情報を受信するようにしてもよい。
【００７８】
任意選択で、本願の実施例において、ネットワークデバイスは、前記端末デバイスの下りチャネル状態、セルカバレッジ状況、前記端末デバイスの電量及び端末のサービス状況のうちの少なくとも１つに基づいて、前記指示情報を送信することができる。
【００７９】
ここで、ネットワークデバイスは、端末デバイスからの要求メッセージを受信した後、前記端末デバイスの下りチャネル状態、セルカバレッジ状況、端末デバイスの電量及び端末のサービス状況のうちの少なくとも１つに基づいて、指示情報を生成して送信することができる。
【００８０】
又は、ネットワークデバイスは、端末デバイスの要求を受信する必要がなく、自分で、前記端末デバイスの下りチャネル状態、セルカバレッジ状況及び端末のサービス状況のうちの少なくとも１つに基づいて、前記指示情報を送信することができる。
【００８１】
任意選択で、ネットワークカバレッジ状況は、セルの半径によって示す。
【００８２】
セル半径が小さい場合、端末デバイスは少ない受信アンテナポートで下り受信を行うことができる。少ない受信アンテナポートでの受信を要求する要求メッセージを受信した場合には、要求メッセージを受け付けることができる。
【００８３】
または、セル半径が大きい場合には、端末デバイスは、より多くの受信アンテナポートを用いて下り受信を行うことができる。より少ない受信アンテナポートでの受信を要求する要求メッセージが受信された場合、要求メッセージは拒否され得る。
【００８４】
任意選択で、端末デバイスの下りチャネル状態は、信号と干渉プラス雑音比( Ｓｉｇｎａｌ ｔｏ Ｉｎｔｅｒｆｅｒｅｎｃｅ ｐｌｕｓ Ｎｏｉｓｅ Ｒａｔｉｏ、ＳＩＮＲ )によって示す。
【００８５】
端末デバイスの下りチャネルのＳＩＮＲが大きければ、端末デバイスは少ない受信アンテナポートで下り受信を行うことができる。少ない受信アンテナポートでの受信を要求する要求メッセージを受信した場合には、要求メッセージを受け付けることができる。
【００８６】
または、端末デバイスの下りチャネルのＳＩＮＲが小さい場合には、端末デバイスは、より多くの受信アンテナポートを用いて下り受信を行うことができる。より少ない受信アンテナポートでの受信を要求する要求メッセージが受信された場合、要求メッセージは拒否され得る。
【００８７】
任意選択で、端末デバイスのサービス状況は、端末デバイスが伝送するサービスが小パケットであるか否かを示すようにしてもよい。
【００８８】
端末デバイスのある期間のサービスが小パケットであれば、端末デバイスはより少ない受信アンテナポートで下り受信を行うことができる。端末デバイスの少ない受信アンテナポートでの受信を要求する要求メッセージを受信した場合には、要求メッセージを受け付けることができる。
【００８９】
又は、端末デバイスのある期間のサービスが全て小パケットでない場合には、より多くの受信アンテナポートを用いて下り受信を行うことができる。端末デバイスのより少ない受信アンテナポートでの受信を要求する要求メッセージが受信された場合、要求メッセージは拒否され得る。
【００９０】
任意選択で、本願の実施例において、ネットワークデバイスは、ブロードキャストメッセージにおいて、端末デバイスが使用可能な受信アンテナポートの数又は最小数を送信することができる。
【００９１】
例えば、周波数帯域ｎ７、ｎ３８、ｎ４１、ｎ７７、ｎ７８又はｎ７９において、端末デバイスが最低でも４つの受信アンテナポートを備える必要があったとしても、ネットワークデバイスは、端末デバイスに２つの受信アンテナポートを用いて下り信号を受信していることをブロードキャストで通知することができる。
【００９２】
任意選択で、ブロードキャストメッセージに示される受信アンテナポートの数や最小数は、上述したネットワークカバレッジ状況等に応じて決定されてもよい。
【００９３】
任意選択で、本願の実施例において、前記指示情報は、端末デバイスに、以下の１ )、２ )、３ )、及び４ )のうちの少なくとも１つを指示するためにさらに用いられてもよい。このとき、前記指示情報は、ＲＲＣシグナリングに搬送されてもよく、すなわち、特定の端末デバイスに対する指示情報は、上記の少なくとも１つを指示してもよく、あるいは、前記指示情報は、ブロードキャストメッセージに搬送されてもよい。
【００９４】
１）指示情報が示す受信アンテナポートの数又は最小数に基づいて下り受信を行う時の、受信する必要がある下りチャネル又は信号である。
【００９５】
具体的には、ネットワークデバイスは、どの信号またはチャネルがより少ない受信アンテナポートを用いて受信され得るか、および/またはどの信号またはチャネルがより多い受信アンテナポートを用いて受信され得るかを端末に知らせるための指示情報を通じてさらに通知し得る。
【００９６】
ここで、少ない受信アンテナポートで受信する信号又はチャネルは、( Ｒｅｍａｉｎｉｎｇ Ｍｉｎｉｍｕｍ Ｓｙｓｔｅｍ Ｉｎｆｏｒｍａｔｉｏｎ、ＲＭＳＩ )、( Ｏｔｈｅｒ Ｓｙｓｔｅｍ Ｉｎｆｏｒｍａｔｉｏｎ、ＯＳＩ )、ページングメッセージ又はランダムアクセス応答( Ｒａｎｄｏｍ Ａｃｃｅｓｓ Ｒｅｓｐｏｎｓｅ、ＲＡＲ )メッセージ等であり得る。
【００９７】
２）指示情報が示す受信アンテナポートの数又は最小数に基づいて下り受信を行う時の、必要とするＲＲＣ状態である。
【００９８】
具体的に、ネットワークデバイスは、端末に、どのＲＲＣ状態がより少ない受信アンテナポートを用いて受信され得るか、及び/又は、どのＲＲＣ状態がより多い受信アンテナポートを用いて受信され得るかを示す指示情報によって更に通知し得る。
【００９９】
ここで、アイドル（ｉｄｌｅ）状態にある端末デバイスは、少ない受信アンテナポートで下り受信を行うことができ、接続状態にある端末デバイスは、多い受信アンテナポートで下り受信を行うことができる。
【０１００】
３）指示情報が示す受信アンテナポートの数又は最小数に基づいて下り受信を行う時の、現在の下りチャネルのチャネル状態である。
【０１０１】
具体的には、ネットワークデバイスは、指示情報によって、端末が、どのチャネル状態においてより少ない受信アンテナポートを用いて受信できるか、および/または、どのチャネル状態においてより多い受信アンテナポートを用いて受信できるかをさらに通知し得る。
【０１０２】
ここで、端末デバイスは、ＳＩＮＲが所定値以上の場合には少ない受信アンテナポートで下り受信を行い、ＳＩＮＲが所定値以下の場合には多い受信アンテナポートで下り受信を行うことができ、任意選択で、端末デバイスがブロードキャストメッセージを受信する場合にも適用できる。
【０１０３】
端末デバイスは、ＭＩＭＯを用いたマルチアンテナポートデータ伝送を行う場合、ＳＩＮＲが一定値以上の場合には、より多くの受信アンテナポートを用いて下り受信を行うことができ、ＳＩＮＲが一定値以下の場合には、より少ない受信アンテナポートを用いて下り受信を行うことができ、これは、より多くの受信アンテナポートがＭＩＭＯマルチアンテナポートデータ伝送に有利であるためである。
【０１０４】
４）指示情報が示す受信アンテナポートの数又は最小数に基づいて下り受信を行う時の、端末デバイスのサービス状況である。
【０１０５】
具体的には、ネットワークデバイスは、指示情報によって、端末が、どのサービス状況においてより少ない受信アンテナポートを用いて受信できるか、および/または、どのサービス状況においてより多い受信アンテナポートを用いて受信できるかをさらに通知し得る。
【０１０６】
ここで、端末デバイスは、ある期間に伝送されるサービスが全て小パケットである場合には少ない受信アンテナポートを用いて下り受信を行い、ある期間に伝送されるサービスが全て小パケットでない場合には多い受信アンテナポートを用いて下り受信を行うことができる。
【０１０７】
なお、本願実施例において、上記１ )、２ )、３ )、４ )を組み合わせて用いてもよい。
【０１０８】
例えば、スモールセル( ｓｍａｌｌ ｃｅｌｌ )では、一般ネットワークのカバレッジが小さく、端末デバイスの下りチャネルのＳＩＮＲが比較的高く、アイドル状態の端末に対してページングメッセージやブロードキャストメッセージを受信する際に、４つの受信アンテナポートを用いる必要がなく、２つの受信アンテナポートで受信することをブロードキャストで端末に通知することができる。
【０１０９】
任意選択で、本願の実施例において、端末デバイスがより少ない受信アンテナポートを用いて下り受信を行った場合、ネットワークデバイスは、端末デバイスがより多い受信アンテナポートを用いて下り受信を行うように指示する指示情報を送信してもよい。
【０１１０】
または、端末デバイスが、より多くの受信アンテナポートを用いて下り受信を行っている場合、ネットワークデバイスは、より少ない受信アンテナポートを用いて下り受信を行うように端末デバイスに指示する指示情報を送信してもよい。
【０１１１】
すなわち、ネットワークデバイスは、端末デバイスが使用可能な受信アンテナポートの数または最小数を、状況(例えば、端末のチャネル状態変化やサービス変化等)に応じてリアルタイムに指示することができる。
【０１１２】
このように、本願の実施例では、ネットワークデバイスが端末デバイスに対して下り受信を行う際に使用する受信アンテナポートの数又は最小数を指示し、常に最多の受信アンテナポートで下り受信を行わず、下り受信時の消費電力を低減し、省電力化を図ることができ、端末デバイスの待機時間や使用時間を長くすることができる。
【０１１３】
なお、本願の実施例は、上記の方法２００及びその様々な実施例に限定されず、本願の実施例は、他の実装形態を有してもよい
例えば、ネットワークデバイスが端末デバイスに指示情報を送信するのではなく、端末デバイスとネットワークデバイスがそれぞれ自律的に端末デバイスが下り受信を行うための受信アンテナポートの数または最小数を判断してもよい。ここで、ネットワークデバイスと端末デバイスは、それぞれ、ネットワークカバレッジ状況、端末デバイスの下りチャネル状態、端末デバイスの現在のＲＲＣ状態、現在の下りチャネルまたは信号の種類、端末デバイスのサービス状況、および上記方法で述べた何らかの利用可能な要因に基づいて、端末デバイスが下り受信を行うために使用する受信アンテナポート数または最小数を自律的に判断することができる。具体的な実施態様は、上記の説明を参照してもよく、簡潔のためにここで説明を省略する。
【０１１４】
図３は本願の実施例におけるネットワークデバイスのブロック図である。図３に示すように、該ネットワークデバイス３１０は、送信ユニット３１０を含み、
送信ユニット３１０は、端末デバイスが使用する可能な受信アンテナポートの数又は最小数を示す指示情報を端末デバイスに送信するように構成される。
【０１１５】
図３に示すように、該ネットワークデバイス３００は、さらに、受信ユニット３２０を含み、
受信ユニット３２０は、前記端末により送信された、ネットワークデバイスに受信アンテナポートの数又は最小数を要求するための要求メッセージを受信するように構成され、
前記送信ユニット３１０は、さらに、前記要求メッセージに基づいて、前記指示情報を送信するように構成される。
【０１１６】
任意選択で、本願の実施例において、前記要求メッセージには、受信アンテナポートの数又は最小数を要求するための原因値、及び／又は所望の受信アンテナポートの数又は最小数が含まれる。
【０１１７】
任意選択で、本願の実施例において、前記送信ユニット３１０は、さらに、
前記受信アンテナポートの数又は最小数に基づいて、下り送信を行うように構成される。
【０１１８】
任意選択で、本願の実施例において、前記指示情報は、ブロードキャストメッセージ又は無線リソース制御ＲＲＣに搬送される。
【０１１９】
任意選択で、本願の実施例において、前記ブロードキャストメッセージは、残り最小システム情報ＲＭＳＩ、他のシステム情報ＯＳＩ又は物理ブロードキャストチャネルＰＢＣＨである。
【０１２０】
任意選択で、本願の実施例において、前記送信ユニット３１０は、さらに、
前記端末デバイスの下りチャネル状態、セルカバレッジ状況、前記端末デバイスのバッテリ残量及び端末のサービス状況のうちの少なくとも１つに基づいて、前記端末デバイスに前記指示情報を送信するように構成される。
【０１２１】
任意選択で、本願の実施例において、前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する。
【０１２２】
任意選択で、本願の実施例において、前記デバイスは、
ｎ７、ｎ３８、ｎ４１、ｎ７７、ｎ７８又はｎ７９の周波数帯域の通信に使用される。
【０１２３】
なお、このネットワークデバイス３００は、本願の実施例による方法においてネットワークデバイスにより実施される対応する機能を実施してもよく、簡潔のためにここでは詳しい説明を省略する
図４は本願の実施例における端末デバイス４００のブロック図である。図４に示すように、該端末デバイス４００は、受信ユニット４１０を含み、
受信ユニット４１０は、ネットワークデバイスにより送信された、端末デバイスが使用する可能な受信アンテナポートの数又は最小数を示す指示情報を受信し、
前記指示情報に基づいて、下り受信を行うように構成される。 
任意選択で、図４に示すように、前記デバイス４００は、さらに、送信ユニット４２０を含み、
送信ユニット４２０は、前記ネットワークデバイスに受信アンテナポートの数又は最小数を要求するための要求メッセージを前記ネットワークデバイスに送信するように構成される。
【０１２４】
任意選択で、本願の実施例において、前記要求メッセージには、受信アンテナポートの数又は最小数を要求するための原因値、及び／又は所望の受信アンテナポートの数又は最小数が含まれる。
【０１２５】
任意選択で、本願の実施例において、前記指示情報は、ブロードキャストメッセージ又は無線リソース制御ＲＲＣに搬送される。
【０１２６】
任意選択で、本願の実施例において、前記ブロードキャストメッセージは、残り最小システム情報ＲＭＳＩ、他のシステム情報ＯＳＩ又は物理ブロードキャストチャネルＰＢＣＨである。
【０１２７】
任意選択で、本願の実施例において、前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する。
【０１２８】
任意選択で、本願の実施例において、前記デバイスは、
ｎ７、ｎ３８、ｎ４１、ｎ７７、ｎ７８又はｎ７９の周波数帯域の通信に使用される。
【０１２９】
なお、端末デバイス４００は、本願の実施例の方法において端末デバイスにより実現される対応する機能を実現することができ、簡潔のためにここ説明を省略する。
【０１３０】
図５は、本願の実施例に係る通信デバイス５００の概略構成図である。図５に示す通信デバイス５００は、メモリからコンピュータプログラムを呼び出して実行することにより、本願の実施例における方法を実行するプロセッサ５１０を備える。
【０１３１】
任意選択で、図５に示されるように、通信デバイス５００は、メモリ５２０をさらに含み得る。プロセッサ５１０は、メモリ５２０からコンピュータプログラムを呼び出して実行し、本願の実施例における方法を実施する。
【０１３２】
ここで、メモリ５２０は、プロセッサ５１０とは独立した１つの別個の部品であってもよく、プロセッサ５１０に集積されてもよい。
【０１３３】
任意選択で、図５に示されるように、通信デバイス５００は、プロセッサ５１０が他のデバイスと通信するように制御することができる、具体的には、他のデバイスに情報またはデータを送信することができ、または他のデバイスによって送信された情報またはデータを受信することができる、送受信機５３０をさらに含むことができる。
【０１３４】
送受信機５３０は、送信機および受信機を含み得る。送受信機５３０は、１つ以上のアンテナをさらに含むことができる。
【０１３５】
任意選択で、通信デバイス５００は、特に、本願の実施例のネットワークデバイスであってもよく、通信デバイス５００は、本願の実施例の様々な方法においてネットワークデバイスにより実施される対応するフローを実施してもよく、簡潔のために、ここでは詳しい説明を省略する。
【０１３６】
任意選択で、通信デバイス５００は、特に、本願の実施例の移動端末/端末デバイスであってもよく、通信デバイス５００は、本願の実施例の各方法において移動端末/端末デバイスによって実現される対応するフローを実現してもよく、簡潔のためにここでは詳しい説明を省略する。
【０１３７】
図６は、本願の実施例におけるチップの概略構成図である。図６に示されるチップ６００は、メモリからコンピュータプログラムを呼び出して実行することにより、本願の実施例における方法を実行することができるプロセッサ６１０を含む。
【０１３８】
任意選択で、図６に示されるように、チップ６００は、メモリ６２０をさらに含んでもよい。プロセッサ６１０は、メモリ６２０からコンピュータプログラムを呼び出して実行することにより、本願の実施例における方法を実施する。
【０１３９】
ここで、メモリ６２０は、プロセッサ６１０とは独立した１つの別個の部品であってもよく、プロセッサ６１０に集積されてもよい。
【０１４０】
任意選択で、チップ６００は、入力インターフェース６３０をさらに含むことができる。プロセッサ６１０は、入力インターフェース６３０を制御して、他のデバイスまたはチップと通信してもよく、具体的には、他のデバイスまたはチップによって送信された情報またはデータを取得してもよい。
【０１４１】
任意選択で、チップ６００は、出力インターフェース６４０をさらに含むことができる。プロセッサ６１０は、出力インターフェース６４０を制御して、他のデバイス又はチップと通信してもよく、具体的には、他のデバイス又はチップに情報又はデータを出力してもよい。
【０１４２】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０１４３】
任意選択で、チップは、本願の実施例における移動端末/端末デバイスに適用されてもよく、チップは、本願の実施例の様々な方法における移動端末/端末デバイスによって実施される対応するフローを実施してもよく、簡潔さのためにここでは詳しい説明を省略する。
【０１４４】
なお、本願の実施例で言及されるチップは、システムチップ、チップシステム、またはシステムオンチップなどと呼ばれることもある
図７は、本願の実施例によって提供される通信システム７００の概略ブロック図である。図７に示すように、通信システム７００は、端末デバイス７１０と、ネットワークデバイス７２０とを有する。
【０１４５】
ここで、該端末デバイス７１０は、上記方法のうち端末デバイスによって実現される対応する機能を実現するために使用され、該ネットワークデバイス７２０は、上記方法のうちネットワークデバイスによって実現される対応する機能を実現するために使用され、簡潔にするために、ここでは詳しい説明を省略する。
【０１４６】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１４７】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されない。
【０１４８】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１４９】
本願の実施例は、コンピュータプログラムを記憶するためのコンピュータ可読記憶媒体をさらに提供する。
【０１５０】
任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させる。
【０１５１】
任意選択で、コンピュータ読み取り可能な記憶媒体は、本願の実施例における移動端末/端末デバイスに適用されてもよく、コンピュータプログラムは、コンピュータに、本願の実施例の各方法における移動端末/端末デバイスによって実現される対応するフローを実行させるが、簡潔にするために、ここでは詳しい説明は省略する。
【０１５２】
本願の実施例は、コンピュータプログラム命令を含むコンピュータプログラム製品も提供する。
【０１５３】
任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明は省略する。
【０１５４】
任意選択で、コンピュータプログラム製品は、本願の実施例における移動端末/端末デバイスに適用されてもよく、コンピュータプログラム命令は、コンピュータに、本願の実施例の各方法における移動端末/端末デバイスによって実施される対応するフローを実行させ、簡潔にするために、ここでは詳しい説明は省略する。
【０１５５】
本願の実施例は、コンピュータプログラムをさらに提供する。
【０１５６】
任意選択で、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔のために、ここでは詳しい説明は省略する。
【０１５７】
任意選択で、プログラムがコンピュータ上で実行される場合、コンピュータに、本願の実施例に係る各方法のうち移動端末機で実現される対応する工程を実行させてもよく、簡潔のために、ここでは詳しい説明は省略する。
【０１５８】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５９】
当業者であれば、説明の便宜及び簡潔にするために、上記に説明されたシステム、装置及びユニットの特定の動作プロセスが、前述の方法の実施例における対応するプロセスを参照してよく、ここでその説明が省略される。
【０１６０】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１６２】
また、本願の各実施例における各機能部は、１つの処理部に集積されてもよいし、各部は、物理的に別個に存在してもよいし、２つ以上の部が１つの部に集積されてもよい。
【０１６３】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ−ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１６４】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021530886.tif 000003
【図２】
2021530886.tif 000004
【図３】
2021530886.tif 000005
【図４】
2021530886.tif 000006
【図５】
2021530886.tif 000007
【図６】
2021530886.tif 000008
【図７】
2021530886.tif 000009
【手続補正書】
【提出日】令和3年5月17日(2021.5.17)
【手続補正１】
【補正対象書類名】明細書
【補正対象項目名】全文
【補正方法】変更
【補正の内容】
【発明の詳細な説明】
【技術分野】
【０００１】
本願は、通信分野に関し、具体的に、無線通信方法、ネットワークデバイス及び端末デバイスに関する。
【背景技術】
【０００２】
５Ｇ通信技術は、帯域幅が広く、ピークレートが高く、遅延が少ないという特徴を有し、例えば、数Ｇｂｐｓ又は数十Ｇｂｐｓの伝送レートで数百ＭＨｚ、数ＧＨｚの帯域まで伝送できる。
【０００３】
したがって、５Ｇ技術は、リアルタイムハイビジョンビデオライブ、ハイビジョン映画ダウンロード、拡張現実( Ａｕｇｍｅｎｔｅｄ Ｒｅａｌｉｔｙ、ＡＲ )、および仮想現実( Ｖｉｒｔｕａｌ Ｒｅａｌｉｔｙ、ＶＲ )などのサービスをサポートすることができ、非常に良好なユーザ体験をもたらすことが期待される。
【０００４】
しかしながら、大きい帯域幅、および、高レートの伝送は、５Ｇの端末にとって多くの課題をもたらし、大きい帯域幅は、端末の無線周波数経路の電力消費(例えば、アナログ-デジタル変換器( Ａｎａｌｏｇ ｔｏ Ｄｉｇｉｔａｌ ｃｏｎｖｅｒｔｅｒ、ＤＡＣ ) /デジタル-アナログ変換器( Ｄｉｇｉｔａｌ ｔｏ Ａｎａｌｏｇ ｃｏｎｖｅｒｔｅｒ、ＤＡＣ ） ＡＤＣ / ＤＡＣ、電力増幅器( Ｐｏｗｅｒ Ａｍｐｌｉｆｉｅｒ、ＰＡ )およびフィルタなどの、無線周波数デバイスの電力消費)の急激な上昇をもたらし、高レートの伝送は、端末のベースバンド処理の部品(例えば、フィルタ、デジタル信号プロセッサ( Ｄｉｇｉｔａｌ Ｓｉｇｎａｌ Ｐｒｏｃｅｓｓｏｒ、ＤＳＰ )、フィールドプログラマブルゲートアレイ( Ｆｉｅｌｄ−Ｐｒｏｇｒａｍｍａｂｌｅ Ｇａｔｅ Ａｒｒａｙ、ＦＰＧＡ )の部品など)が高速で動作することを必要とし、電力消費の増加をもたらす。
【０００５】
従って、５Ｇ端末の消費電力の問題をどのように解決するかが、解決すべき課題である。
【発明の概要】
【０００６】
本願の実施例は、端末の消費電力を低減することができる無線通信方法及びデバイスを提供する。
【０００７】
第１の態様は、無線通信方法を提供し、
端末デバイスが使用する可能な受信アンテナポートの数又は最小数を示す指示情報を端末デバイスに送信することを含む。
【０００８】
第１の態様を結合し、第１の態様の実現可能な形態において、前記方法は、さらに、
前記端末により送信された、ネットワークデバイスに受信アンテナポートの数又は最小数を要求するための前記要求メッセージを受信することを含み、
前記端末デバイスに指示情報を送信することは、
前記要求メッセージに基づいて、前記指示情報を送信することを含む。
【０００９】
第１の態様又は上記の実現可能な形態において、第１の態様の他の実現可能な形態において、前記要求メッセージには、受信アンテナポートの数又は最小数を要求するための原因値、及び／又は所望の受信アンテナポートの数又は最小数が含まれる。
【００１０】
第１の態様又は上記の実現可能な形態において、第１の態様の他の実現可能な形態において、前記方法は、さらに、
前記受信アンテナポートの数又は最小数に基づいて、下り送信を行うことを含む。
【００１１】
第１の態様又は上記の実現可能な形態において、第１の態様の他の実現可能な形態において、前記指示情報は、ブロードキャストメッセージ又は無線リソース制御ＲＲＣに搬送される。
【００１２】
第１の態様又は上記の実現可能な形態において、第１の態様の他の実現可能な形態において、前記ブロードキャストメッセージは、残り最小システム情報ＲＭＳＩ、他のシステム情報ＯＳＩ又は物理ブロードキャストチャネルＰＢＣＨである。
【００１３】
第１の態様又は上記の実現可能な形態において、第１の態様の他の実現可能な形態において、前記端末デバイスに指示情報を送信することは、
前記端末デバイスの下りチャネル状態、セルカバレッジ状況、前記端末デバイスのバッテリ残量及び端末のサービス状況のうちの少なくとも１つに基づいて、前記端末デバイスに前記指示情報を送信することを含む。
【００１４】
第１の態様又は上記の実現可能な形態において、第１の態様の他の実現可能な形態において、前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する。
【００１５】
第１の態様又は上記の実現可能な形態において、第１の態様の他の実現可能な形態において、前記方法は、
ｎ７、ｎ３８、ｎ４１、ｎ７７、ｎ７８又はｎ７９の周波数帯域の通信に使用される。
【００１６】
第２の態様は、無線通信方法を提供し、
ネットワークデバイスにより送信された、端末デバイスが使用する可能な受信アンテナポートの数又は最小数を示す指示情報を受信することと、
前記指示情報に基づいて、下り受信を行うこととを含む。 
第２の態様を結合し、第２の態様の実現可能な形態において、前記方法は、さらに、
前記ネットワークデバイスに受信アンテナポートの数又は最小数を要求するための要求メッセージを前記ネットワークデバイスに送信することを含む。
【００１７】
第２の態様又は上記の実現可能な形態において、第２の態様の他の実現可能な形態において、前記要求メッセージには、受信アンテナポートの数又は最小数を要求するための原因値、及び／又は所望の受信アンテナポートの数又は最小数が含まれる。
【００１８】
第２の態様又は上記の実現可能な形態において、第２の態様の他の実現可能な形態において、前記指示情報は、ブロードキャストメッセージ又は無線リソース制御ＲＲＣに搬送される。
【００１９】
第２の態様又は上記の実現可能な形態において、第２の態様の他の実現可能な形態において、前記ブロードキャストメッセージは、残り最小システム情報ＲＭＳＩ、他のシステム情報ＯＳＩ又は物理ブロードキャストチャネルＰＢＣＨである。
【００２０】
第２の態様又は上記の実現可能な形態において、第２の態様の他の実現可能な形態において、前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する。
【００２１】
第２の態様又は上記の実現可能な形態において、第２の態様の他の実現可能な形態において、前記方法は、
ｎ７、ｎ３８、ｎ４１、ｎ７７、ｎ７８又はｎ７９の周波数帯域の通信に使用される。
【００２２】
第３の態様は、上記第１の態様またはその様々な実施例の方法を実行するためのネットワークデバイスを提供する。
【００２３】
具体的には、このネットワークデバイスは、上記の第１の態様またはその様々な実施例における方法を実行するための機能モジュールを含む。
【００２４】
第４の態様は、上記第２の態様またはその様々な実施例の方法を実行するための端末デバイスを提供する。
【００２５】
具体的には、この端末デバイスは、上記の第２の態様またはその様々な実施例における方法を実行するための機能モジュールを含む。
【００２６】
第５の態様は、プロセッサとメモリとを含むネットワークデバイスを提供する。このメモリは、コンピュータプログラムを記憶するためのものであり、このプロセッサは、このメモリに記憶されたコンピュータプログラムを呼び出して実行し、上記第１の態様またはその各実施例における方法を実行するためのものである。
【００２７】
第６の態様は、プロセッサとメモリとを含む端末デバイスを提供する。このメモリは、コンピュータプログラムを記憶するためのものであり、このプロセッサは、このメモリに記憶されたコンピュータプログラムを呼び出して実行し、上記第の態様またはその各実施例における方法を実行するためのものである。
【００２８】
第７の態様は、上記の第１の態様から第２の態様のいずれかまたはその様々な実装における方法を実装するためのチップを提供する。
【００２９】
具体的には、チップは、コンピュータプログラムをメモリから呼び出して実行し、チップが搭載された装置に、上記の第１の態様から第２の態様のいずれか１つまたはその各実装態様に従う方法を実行させるプロセッサを含む。
【００３０】
第８の態様は、コンピュータに、上記の第１の態様から第２の態様のいずれか１つまたはその各実装形態における方法を実行させるコンピュータプログラムを記憶するためのコンピュータ可読記憶媒体を提供する。
【００３１】
第９の態様は、コンピュータに、上記の第１の態様から第２の態様のいずれか１つまたはその様々な実装形態における方法を実行させるコンピュータプログラム命令を含むコンピュータプログラム製品を提供する。
【００３２】
第１０の態様は、コンピュータ上で実行されると、コンピュータに、上記の第１の態様から第２の態様のいずれか１つまたはその様々な実装形態における方法を実行させるコンピュータプログラムを提供する。
【００３３】
このように、本願の実施例では、ネットワークデバイスが端末デバイスに対して下り受信を行う際に使用する受信アンテナポートの数又は最小数を指示し、最多の受信アンテナポートで下り受信せず、下り受信時の消費電力を低減し、省電力化を図ることができ、端末デバイスの待機時間や使用時間を長くすることができる。
【図面の簡単な説明】
【００３４】
【図１】本願の実施例における通信システムの模式図である。
【図２】本願の実施例における無線通信方法のフローチャートである。
【図３】本願の実施例におけるネットワークデバイスのブロック図である。
【図４】本願の実施例における端末デバイスのブロック図である。
【図５】本願の実施例における通信デバイスのブロック図である。
【図６】本願の実施例におけるチップのブロック図である。
【図７】本願の実施例における通信システムのブロック図である。
【発明を実施するための形態】
【００３５】
以下、本願の実施例における技術的解決策を、本願の実施例における添付図面と併せて、明確かつ完全に説明する。
【００３６】
以下、本願の実施例について図面を参照して説明するが、本願は、この実施例に限定されるものではなく、本願の技術的思想に基づく各種の変形が可能である。本願における実施例に基づいて、当業者が創造的な労働をすることなく得られる全ての他の実施例は、本願の保護範囲に属する。
【００３７】
本願の実施例の技術案は、例えば、全地球移動通信( Ｇｌｏｂａｌ Ｓｙｓｔｅｍ ｏｆ Ｍｏｂｉｌｅ ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ  Ｔｅｒｍ  Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )通信システム、又は５Ｇシステム等の様々な通信システムに適用可能である。
【００３８】
本願の実施例が適用される通信システム１００は、例えば図１に示すようなものである。通信システム１００は、端末デバイス１２０ (または通信端末、端末)と通信する装置であり得るネットワークデバイス１１０を含み得る。ネットワークデバイス１１０は、特定の地理的エリアに通信カバレージを提供し得、そのカバレージ内に位置する端末デバイスと通信し得る。任意選択で、ネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または、モバイルスイッチングハブ、中継局、アクセスポイント、車載デバイス、ウェアラブルデバイス、ハブ、スイッチ、ブリッジ、ルータ、５Ｇネットワークにおけるネットワーク側デバイス、または将来進化するパブリック地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００３９】
通信システム１００は、ネットワークデバイス１１０のカバレージ内に配置された少なくとも１つの端末デバイス１２０をさらに含む。本明細書で使用される「端末デバイス」としては、公衆交換電話網( Ｐｕｂｌｉｃ Ｓｗｉｔｃｈｅｄ Ｔｅｌｅｐｈｏｎｅ Ｎｅｔｗｏｒｋｓ、ＰＳＴＮ )、デジタル加入者線( Ｄｉｇｉｔａｌ Ｓｕｂｓｃｒｉｂｅｒ Ｌｉｎｅ、ＤＳＬ )、デジタルケーブル、直接ケーブル接続などの有線回線を介した接続、および/または別のデータ接続/ネットワーク、および/または、セルラネットワーク、ワイヤレスローカルエリアネットワーク( Ｗｉｒｅｌｅｓｓ Ｌｏｃａｌ Ａｒｅａ Ｎｅｔｗｏｒｋ、ＷＬＡＮ )、ＤＶＢ−Ｈネットワークなどのデジタルテレビジョンネットワーク、衛星ネットワーク、ＡＭ−ＦＭ放送受信機などの無線インターフェース、及び/又は通信信号を受信/送信するように構成された別の端末デバイスのための手段、および/またはモノのインターネット( Ｉｎｔｅｒｎｅｔ ｏｆ Ｔｈｉｎｇｓ、ＩｏＴ )装置を含む。無線インターフェースを介して通信するように設定された端末デバイスは、「無線通信端末」、「無線端末」、又は「移動端末」と称され得る。移動端末の例は、衛星又は携帯電話を含むがこれらに限定されなく、セルラー無線電話とデータ処理、ファクシミリ、及びデータ通信能力を組み合わせることができるパーソナル通信システム( Ｐｅｒｓｏｎａｌ Ｃｏｍｍｕｎｉｃａｔｉｏｎｓ Ｓｙｓｔｅｍ、ＰＣＳ )端末、ＰＤＡは、無線電話、ページャ、インターネット/イントラネット接続、ウェブブラウザ、メモ帳、カレンダー、及び/又は全地球測位システム( Ｇｌｏｂａｌ Ｐｏｓｉｔｉｏｎｉｎｇ Ｓｙｓｔｅｍ、ＧＰＳ )受信機を含み得、従来のノート型受信機やパームトップ型受信機等の電子機器に内蔵されている無線電話送受信機に適用してもよい。端末デバイスは、アクセス端末、ユーザ機器( Ｕｓｅｒ Ｅｑｕｉｐｍｅｎｔ、ＵＥ )、ユーザ機器、ユーザ局、移動局、リモート端末、モバイル機器、ユーザ端末、無線通信機器、ユーザエージェント、又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来開発されるＰＬＭＮにおける端末デバイスなどであり得る。
【００４０】
任意選択で、端末デバイス１２０間の端末直接接続( Ｄｅｖｉｃｅ ｔｏ Ｄｅｖｉｃｅ、Ｄ２Ｄ )通信が行われてもよい。
【００４１】
任意選択で、５Ｇシステム又は５Ｇネットワークは、新たなラジオ( Ｎｅｗ Ｒａｄｉｏ、ＮＲ )システム又はＮＲネットワークとも呼ばれ得る。
【００４２】
図１は、１つのネットワークデバイス及び２つの端末デバイスを例示的に示しているが、通信システム１００は、複数のネットワークデバイスを含んでもよく、各ネットワークデバイスのカバレージ内に他の数の端末デバイスを含んでもよく、本願の実施例はこれに限定されない。
【００４３】
任意選択で、通信システム１００は、ネットワークコントローラ、モビリティ管理エンティティなどの他のネットワークエンティティをさらに含むことができ、本開示の実施例はこれに限定されない。
【００４４】
なお、本願の実施例におけるネットワーク/システムにおける通信機能を有する装置を通信デバイスと呼ぶ場合がある。図１に示す通信システム１００を例にとると、通信デバイスは、通信機能を有するネットワークデバイス１１０及び端末デバイス１２０を含むことができ、ネットワークデバイス１１０及び端末デバイス１２０は、上述した具体的な装置であってもよく、ここでは詳しい説明を省略し、通信デバイスは、通信システム１００内の他のデバイス、例えば、ネットワークコントローラ、モビリティ管理エンティティ等の他のネットワークエンティティをさらに含むことができ、これは、本願の実施例において限定されない。
【００４５】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００４６】
図２は、本願の実施例による無線通信方法２００の概略的なフローチャートである。
【００４７】
任意選択で、本願の実施例の方法は、周波数帯域ｎ７、ｎ３８、ｎ４１、ｎ７７、ｎ７８、またはｎ７９の通信において使用され得る。
【００４８】
任意選択で、５Ｇ仕様が６ ＧＨＺ以下の周波数帯域にある必要があることを要求し、端末デバイスが、少なくとも４つの受信アンテナポートを、周波数帯ｎ７、ｎ３８、ｎ４１、ｎ７７、ｎ７８、ｎ７９ ( ３ ＧＰＰリリース１５ ３８.１０１において定義された周波数帯域である)に搭載することが可能である。周波数帯域ｎ３８、ｎ４１、ｎ７７、ｎ７８は、５ ＧＨｚの主要周波数帯域である可能性があるので、上記要求は、５Ｇ端末が上記周波数帯域をサポートしようとすると、少なくとも４つの受信アンテナポートを備える必要があることを意味する。しかし、ＬＴＥ端末は、一般的に２つの受信アンテナポートを実装する。受信アンテナポートの増加は、ＵＥがより多くの電力を消費することを意味し、それは、各受信アンテナポートが無線周波数経路に対応し、アンテナ、ＰＡ、ＡＤ / ＤＡ、フィルタ、さらにはベースバンド処理装置を含み、これらの構成要素が、終端電力を消費するからである。しかしながら、多くの使用シナリオでは、端末デバイスは、少なくとも４つの受信アンテナポートを使用する必要はなく、さもなければ、大きな電力消費をもたらす。したがって、本願の実施例の方法は、端末の消費電力の問題を解決することができる。
【００４９】
任意選択で、本願の実施例において、端末デバイスがより少ない受信アンテナポート(自身が備える受信アンテナポートよりも少ない)を用いて下り受信を行う動作モードは、マルチアンテナポートバック動作モードと呼ばれ得る。
【００５０】
任意選択で、本願の実施例において、端末デバイスの受信アンテナポートと端末デバイスの受信アンテナは一対一の関係であってもよいが、本願の実施例はこれに限定されず、例えば、端末デバイスの受信アンテナポートと端末デバイスの受信アンテナは一対多の関係であってもよく、具体的に実現することにより、本願の実施例はこれに限定されない。
【００５１】
２１０において、ネットワークデバイスが端末デバイスに指示情報を送信し、該指示情報は、端末デバイスが使用する可能な受信アンテナポートの数又は最小数を示す。
【００５２】
任意選択で、該指示情報が示す受信アンテナポートの数又は最小数は、端末デバイスが備える受信アンテナポートの数よりも小さくてもよいし、端末デバイスが備える受信アンテナポートの数と等しくてもよい。
【００５３】
例えば、端末デバイスが備える受信アンテナポートの数が４である場合、該指示情報が示す受信アンテナポートの数が４であっても良し、４よりも小さくてもよい。
【００５４】
なお、この指示情報は、端末デバイスが使用可能な受信アンテナポートの数または最小数を示すものであってもよく、例えば、その数及び最小数を明示的に示し、あるいは、その数や最小数を暗黙的に指示するようにしてもよく、例えば、その指示情報を搬送するリソース等によって指示するようにしてもよい。又は、ネットワークデバイスは、端末デバイスの要求メッセージを受信し、要求メッセージには所望に使用する受信アンテナポートの数または最小数を搬送し、ネットワークデバイスが要求メッセージに対する受けるメッセージを送信した場合、受けるメッセージは、上述の指示情報としてもよい。
【００５５】
任意選択で、本願の実施例において、この指示情報は、ブロードキャストメッセージに搬送され、例えば、物理ブロードキャストチャネル( Ｐｈｙｓｉｃａｌ Ｂｒｏａｄｃａｓｔｉｎｇ Ｃｈａｎｎｅｌ、ＰＢＣＨ )、残りの最小システム情報( Ｒｅｍａｉｎｉｎｇ Ｍｉｎｉｍｕｍ Ｓｙｓｔｅｍ Ｉｎｆｏｒｍａｔｉｏｎ、ＲＭＳＩ )、及び他のシステム情報( Ｏｔｈｅｒ Ｓｙｓｔｅｍ Ｉｎｆｏｒｍａｔｉｏｎ、ＯＳＩ )に搬送され得る。
【００５６】
なお、この指示情報は、他のメッセージ、例えば、無線リソース制御( Ｒａｄｉｏ Ｒｅｓｏｕｒｃｅ Ｃｏｎｔｒｏｌ、ＲＲＣ )メッセージに搬送されてもよく、本願実施例は、これを特に限定しない。
【００５７】
２２０において、端末デバイスがネットワークデバイスにより送信された該指示情報を受信する。
【００５８】
２３０において、端末デバイスが前記指示情報に基づいて、下り受信を行う。
【００５９】
任意選択で、本願の実施例において、ネットワークデバイスが受信アンテナポートの数又は最小数に基づいて下り送信を行うことができる。ここで、ネットワークデバイスが下り送信を行う場合、データ伝送のレイヤ数が、その数以下又は最小数であってもよい。
【００６０】
具体的には、ネットワークデバイスが指示情報によって、端末デバイスが備える受信アンテナポートの数未満の受信方式が許可するようにを指示した後、該受信方式が有効となった場合に、ネットワークデバイスによる端末デバイスのスケジューリングにおいて、前記指示情報によって指示された受信アンテナポート数以下のデータ層数でＭＩＭＯ（Ｍｕｌｔｉｐｌｅ−Ｉｎｐｕｔ Ｍｕｌｔｉｐｌｅ−Ｏｕｔｐｕｔ）伝送を行う。
【００６１】
例えば、ネットワークデバイスは、端末に２つのアンテナ受信ポートで受信するように指示した後、端末に対するデータスケジューリングをシングルレイヤデータ伝送又は最大２つのレイヤＭＩＭＯデータ伝送のいずれかで行う。
【００６２】
任意選択で、本願の実施例において、端末デバイスが指示情報が示す数又は最小数の受信アンテナポートで下り受信を行うことができる。
【００６３】
ここで、指示情報が受信アンテナポートの数を示す場合、端末デバイスが該数の受信アンテナポートで下り受信を行う方式で、下り送信を行う。
【００６４】
例えば、指示情報が受信アンテナポートの数が２であることを示す場合、端末デバイスが２つの受信アンテナポートで下り受信を行う。
【００６５】
又は、指示情報が受信アンテナポートの最小数を示す場合、端末デバイスが該数又は該数よりも大きい数の受信アンテナポートで下り受信を行うことができる。
【００６６】
例えば、指示情報が受信アンテナポートの最小数が２であることを示す場合、端末は、２つ、３つ又は４つの受信アンテナポートで下り受信を行う。
【００６７】
このように、本願の実施例において、ネットワークデバイスが、常に最多の受信アンテナポートを用いて下り受信を行うのではなく、端末デバイスに対して下り受信を行う際の受信アンテナポート数または最少数を指示することにより、下り受信時の消費電力を低減し、省電力化を図ることができる。
【００６８】
任意選択で、本願の実施例において、端末デバイスがネットワークデバイスに要求メッセージを送信し、前記要求メッセージは、前記ネットワークデバイスに受信アンテナポートの数又は最小数を要求する。ネットワークデバイスは、前記端末からの要求メッセージを受信し、前記要求メッセージに基づいて、前記指示情報を送信する。
【００６９】
この時、該指示情報は、任意選択で、無線リソース制御（Ｒａｄｉｏ Ｒｅｓｏｕｒｃｅ Ｃｏｎｔｒｏｌ、ＲＲＣ）シグナリングに搬送される。
【００７０】
具体的には、端末デバイスは、現在の受信アンテナポート数を変更するか、下り受信を行うか、あるいは何らかの下り受信を行う必要がある場合に、ネットワークデバイスに対して受信アンテナポート数または最小数を要求する要求メッセージを送信することができる。ネットワークデバイスは、この要求メッセージに基づいて指示情報を送信してもよい。
【００７１】
任意選択で、本願の実施例において、前記要求メッセージには、受信アンテナポートの数又は最小数を要求するための原因値、及び／又は所望の受信アンテナポートの数又は最小数が含まれる。
【００７２】
具体的に、端末デバイスが何らかの理由でネットワークデバイスに受信アンテナポートの数又は最小数を要求する必要がある場合、要求する原因値及び／又は所望の受信アンテナポートの数又は最小数をネットワークデバイスに送信することができ、これにより、ネットワークデバイスが指示情報を送信する。
【００７３】
任意選択で、本願の実施例において、ネットワークデバイスからの指示情報に示す、端末デバイスが使用する可能な受信アンテナポートの数又は最小数は、端末デバイスが所望する受信アンテナポートの数又は最小数と等しくてもよいし、（例えば、多くても少なくてもよい）端末デバイスが所望する受信アンテナポートの数又は最小数と等しくなくてもよい。
【００７４】
具体的に、周波数帯域ｎ７、ｎ３８、ｎ４１、ｎ７７、ｎ７８、ｎ７９をサポートする端末デバイスは、少なくとも４つの受信アンテナポートをサポートする必要があるが、多くの使用シナリオにおいて、端末デバイスは、４つの受信アンテナポートを使用する必要はない。例えば、ショートメッセージ、ＷＥＩＸＩＮメッセンジャーチャット等の小パケットのみをサポートする伝送シナリオでは、端末デバイスは、いずれも小さいパケット送信であるため、これらのシナリオでは４つの受信アンテナポートを使用する必要性は少なく、２つの受信アンテナポートを使用して受信する受信性能は十分であり、少ない受信アンテナポート(例えば、２つの受信アンテナポート)に対する４つの受信アンテナポートを使用する性能の向上は明らかではなく、また、端末デバイスは、４つの受信アンテナポートを使用して下り受信を行う場合、４つの受信パスを使用して下り信号を受信し処理する必要があり、大きな電力消費をもたらす。
【００７５】
また、端末デバイスが低電力状態で４つのアンテナ受信ポートをそのまま用いると、端末の待機時間を長くするのに不利であり、この場合、より少ない受信アンテナポート(例えば、２つの受信アンテナポート)に戻る動作モードが、待機時間を長くするのに有利である。
【００７６】
したがって、上記シナリオでは、端末デバイスの省電力化を達成するために、端末デバイスは、ネットワークデバイスに要求メッセージを送信し、低消費電力動作モードへの復帰を要求することができ、例えば、要求メッセージにおいて、自身が備える受信アンテナポートの数よりも少ない動作モードへ復帰を要求し、例えば、４つの受信アンテナポートの能力を備える端末は、要求情報によって、２つの受信アンテナポートの使用を要求する。 
ここで、端末デバイスは、低電力要求や低レート要求などの要求原因値を要求メッセージに含めてもよい。
【００７７】
ネットワークデバイスは、端末デバイスからの要求メッセージを受信した後、端末デバイスが低消費電力モードに移行することを許可すると判断した場合、端末デバイスに指示情報を送信してもよい。指示情報は、端末が低消費電力モードに移行することを許可することを指示し、さらに、端末の使用する最少となる受信アンテナポート数を指示することができる。例えば、４つの受信アンテナポートを備える端末に対して、要求メッセージによって２つの受信アンテナポートを要求すると、ネットワークデバイスは、指示情報によって、少なくとも２つの受信アンテナポートを使用するように端末に指示してもよい。もちろん、ネットワークデバイスは、端末デバイスの要求を拒否し、端末デバイスが４つのの受信アンテナポートを用いて下り情報を受信するようにしてもよい。
【００７８】
任意選択で、本願の実施例において、ネットワークデバイスは、前記端末デバイスの下りチャネル状態、セルカバレッジ状況、前記端末デバイスの電量及び端末のサービス状況のうちの少なくとも１つに基づいて、前記指示情報を送信することができる。
【００７９】
ここで、ネットワークデバイスは、端末デバイスからの要求メッセージを受信した後、前記端末デバイスの下りチャネル状態、セルカバレッジ状況、端末デバイスの電量及び端末のサービス状況のうちの少なくとも１つに基づいて、指示情報を生成して送信することができる。
【００８０】
又は、ネットワークデバイスは、端末デバイスの要求を受信する必要がなく、自分で、前記端末デバイスの下りチャネル状態、セルカバレッジ状況及び端末のサービス状況のうちの少なくとも１つに基づいて、前記指示情報を送信することができる。
【００８１】
任意選択で、ネットワークカバレッジ状況は、セルの半径によって示す。
【００８２】
セル半径が小さい場合、端末デバイスは少ない受信アンテナポートで下り受信を行うことができる。少ない受信アンテナポートでの受信を要求する要求メッセージを受信した場合には、要求メッセージを受け付けることができる。
【００８３】
または、セル半径が大きい場合には、端末デバイスは、より多くの受信アンテナポートを用いて下り受信を行うことができる。より少ない受信アンテナポートでの受信を要求する要求メッセージが受信された場合、要求メッセージは拒否され得る。
【００８４】
任意選択で、端末デバイスの下りチャネル状態は、信号と干渉プラス雑音比( Ｓｉｇｎａｌ ｔｏ Ｉｎｔｅｒｆｅｒｅｎｃｅ ｐｌｕｓ Ｎｏｉｓｅ Ｒａｔｉｏ、ＳＩＮＲ )によって示す。
【００８５】
端末デバイスの下りチャネルのＳＩＮＲが大きければ、端末デバイスは少ない受信アンテナポートで下り受信を行うことができる。少ない受信アンテナポートでの受信を要求する要求メッセージを受信した場合には、要求メッセージを受け付けることができる。
【００８６】
または、端末デバイスの下りチャネルのＳＩＮＲが小さい場合には、端末デバイスは、より多くの受信アンテナポートを用いて下り受信を行うことができる。より少ない受信アンテナポートでの受信を要求する要求メッセージが受信された場合、要求メッセージは拒否され得る。
【００８７】
任意選択で、端末デバイスのサービス状況は、端末デバイスが伝送するサービスが小パケットであるか否かを示すようにしてもよい。
【００８８】
端末デバイスのある期間のサービスが小パケットであれば、端末デバイスはより少ない受信アンテナポートで下り受信を行うことができる。端末デバイスの少ない受信アンテナポートでの受信を要求する要求メッセージを受信した場合には、要求メッセージを受け付けることができる。
【００８９】
又は、端末デバイスのある期間のサービスが全て小パケットでない場合には、より多くの受信アンテナポートを用いて下り受信を行うことができる。端末デバイスのより少ない受信アンテナポートでの受信を要求する要求メッセージが受信された場合、要求メッセージは拒否され得る。
【００９０】
任意選択で、本願の実施例において、ネットワークデバイスは、ブロードキャストメッセージにおいて、端末デバイスが使用可能な受信アンテナポートの数又は最小数を送信することができる。
【００９１】
例えば、周波数帯域ｎ７、ｎ３８、ｎ４１、ｎ７７、ｎ７８又はｎ７９において、端末デバイスが最低でも４つの受信アンテナポートを備える必要があったとしても、ネットワークデバイスは、端末デバイスに２つの受信アンテナポートを用いて下り信号を受信していることをブロードキャストで通知することができる。
【００９２】
任意選択で、ブロードキャストメッセージに示される受信アンテナポートの数や最小数は、上述したネットワークカバレッジ状況等に応じて決定されてもよい。
【００９３】
任意選択で、本願の実施例において、前記指示情報は、端末デバイスに、以下の１ )、２ )、３ )、及び４ )のうちの少なくとも１つを指示するためにさらに用いられてもよい。このとき、前記指示情報は、ＲＲＣシグナリングに搬送されてもよく、すなわち、特定の端末デバイスに対する指示情報は、上記の少なくとも１つを指示してもよく、あるいは、前記指示情報は、ブロードキャストメッセージに搬送されてもよい。
【００９４】
１）指示情報が示す受信アンテナポートの数又は最小数に基づいて下り受信を行う時の、受信する必要がある下りチャネル又は信号である。
【００９５】
具体的には、ネットワークデバイスは、どの信号またはチャネルがより少ない受信アンテナポートを用いて受信され得るか、および/またはどの信号またはチャネルがより多い受信アンテナポートを用いて受信され得るかを端末に知らせるための指示情報を通じてさらに通知し得る。
【００９６】
ここで、少ない受信アンテナポートで受信する信号又はチャネルは、( Ｒｅｍａｉｎｉｎｇ Ｍｉｎｉｍｕｍ Ｓｙｓｔｅｍ Ｉｎｆｏｒｍａｔｉｏｎ、ＲＭＳＩ )、( Ｏｔｈｅｒ Ｓｙｓｔｅｍ Ｉｎｆｏｒｍａｔｉｏｎ、ＯＳＩ )、ページングメッセージ又はランダムアクセス応答( Ｒａｎｄｏｍ Ａｃｃｅｓｓ Ｒｅｓｐｏｎｓｅ、ＲＡＲ )メッセージ等であり得る。
【００９７】
２）指示情報が示す受信アンテナポートの数又は最小数に基づいて下り受信を行う時の、必要とするＲＲＣ状態である。
【００９８】
具体的に、ネットワークデバイスは、端末に、どのＲＲＣ状態がより少ない受信アンテナポートを用いて受信され得るか、及び/又は、どのＲＲＣ状態がより多い受信アンテナポートを用いて受信され得るかを示す指示情報によって更に通知し得る。
【００９９】
ここで、アイドル（ｉｄｌｅ）状態にある端末デバイスは、少ない受信アンテナポートで下り受信を行うことができ、接続状態にある端末デバイスは、多い受信アンテナポートで下り受信を行うことができる。
【０１００】
３）指示情報が示す受信アンテナポートの数又は最小数に基づいて下り受信を行う時の、現在の下りチャネルのチャネル状態である。
【０１０１】
具体的には、ネットワークデバイスは、指示情報によって、端末が、どのチャネル状態においてより少ない受信アンテナポートを用いて受信できるか、および/または、どのチャネル状態においてより多い受信アンテナポートを用いて受信できるかをさらに通知し得る。
【０１０２】
ここで、端末デバイスは、ＳＩＮＲが所定値以上の場合には少ない受信アンテナポートで下り受信を行い、ＳＩＮＲが所定値以下の場合には多い受信アンテナポートで下り受信を行うことができ、任意選択で、端末デバイスがブロードキャストメッセージを受信する場合にも適用できる。
【０１０３】
端末デバイスは、ＭＩＭＯを用いたマルチアンテナポートデータ伝送を行う場合、ＳＩＮＲが一定値以上の場合には、より多くの受信アンテナポートを用いて下り受信を行うことができ、ＳＩＮＲが一定値以下の場合には、より少ない受信アンテナポートを用いて下り受信を行うことができ、これは、より多くの受信アンテナポートがＭＩＭＯマルチアンテナポートデータ伝送に有利であるためである。
【０１０４】
４）指示情報が示す受信アンテナポートの数又は最小数に基づいて下り受信を行う時の、端末デバイスのサービス状況である。
【０１０５】
具体的には、ネットワークデバイスは、指示情報によって、端末が、どのサービス状況においてより少ない受信アンテナポートを用いて受信できるか、および/または、どのサービス状況においてより多い受信アンテナポートを用いて受信できるかをさらに通知し得る。
【０１０６】
ここで、端末デバイスは、ある期間に伝送されるサービスが全て小パケットである場合には少ない受信アンテナポートを用いて下り受信を行い、ある期間に伝送されるサービスが全て小パケットでない場合には多い受信アンテナポートを用いて下り受信を行うことができる。
【０１０７】
なお、本願実施例において、上記１ )、２ )、３ )、４ )を組み合わせて用いてもよい。
【０１０８】
例えば、スモールセル( ｓｍａｌｌ ｃｅｌｌ )では、一般ネットワークのカバレッジが小さく、端末デバイスの下りチャネルのＳＩＮＲが比較的高く、アイドル状態の端末に対してページングメッセージやブロードキャストメッセージを受信する際に、４つの受信アンテナポートを用いる必要がなく、２つの受信アンテナポートで受信することをブロードキャストで端末に通知することができる。
【０１０９】
任意選択で、本願の実施例において、端末デバイスがより少ない受信アンテナポートを用いて下り受信を行った場合、ネットワークデバイスは、端末デバイスがより多い受信アンテナポートを用いて下り受信を行うように指示する指示情報を送信してもよい。
【０１１０】
または、端末デバイスが、より多くの受信アンテナポートを用いて下り受信を行っている場合、ネットワークデバイスは、より少ない受信アンテナポートを用いて下り受信を行うように端末デバイスに指示する指示情報を送信してもよい。
【０１１１】
すなわち、ネットワークデバイスは、端末デバイスが使用可能な受信アンテナポートの数または最小数を、状況(例えば、端末のチャネル状態変化やサービス変化等)に応じてリアルタイムに指示することができる。
【０１１２】
このように、本願の実施例では、ネットワークデバイスが端末デバイスに対して下り受信を行う際に使用する受信アンテナポートの数又は最小数を指示し、常に最多の受信アンテナポートで下り受信を行わず、下り受信時の消費電力を低減し、省電力化を図ることができ、端末デバイスの待機時間や使用時間を長くすることができる。
【０１１３】
なお、本願の実施例は、上記の方法２００及びその様々な実施例に限定されず、本願の実施例は、他の実装形態を有してもよい
例えば、ネットワークデバイスが端末デバイスに指示情報を送信するのではなく、端末デバイスとネットワークデバイスがそれぞれ自律的に端末デバイスが下り受信を行うための受信アンテナポートの数または最小数を判断してもよい。ここで、ネットワークデバイスと端末デバイスは、それぞれ、ネットワークカバレッジ状況、端末デバイスの下りチャネル状態、端末デバイスの現在のＲＲＣ状態、現在の下りチャネルまたは信号の種類、端末デバイスのサービス状況、および上記方法で述べた何らかの利用可能な要因に基づいて、端末デバイスが下り受信を行うために使用する受信アンテナポート数または最小数を自律的に判断することができる。具体的な実施態様は、上記の説明を参照してもよく、簡潔のためにここで説明を省略する。
【０１１４】
図３は本願の実施例におけるネットワークデバイスのブロック図である。図３に示すように、該ネットワークデバイス３１０は、送信ユニット３１０を含み、
送信ユニット３１０は、端末デバイスが使用する可能な受信アンテナポートの数又は最小数を示す指示情報を端末デバイスに送信するように構成される。
【０１１５】
図３に示すように、該ネットワークデバイス３００は、さらに、受信ユニット３２０を含み、
受信ユニット３２０は、前記端末により送信された、ネットワークデバイスに受信アンテナポートの数又は最小数を要求するための要求メッセージを受信するように構成され、
前記送信ユニット３１０は、さらに、前記要求メッセージに基づいて、前記指示情報を送信するように構成される。
【０１１６】
任意選択で、本願の実施例において、前記要求メッセージには、受信アンテナポートの数又は最小数を要求するための原因値、及び／又は所望の受信アンテナポートの数又は最小数が含まれる。
【０１１７】
任意選択で、本願の実施例において、前記送信ユニット３１０は、さらに、
前記受信アンテナポートの数又は最小数に基づいて、下り送信を行うように構成される。
【０１１８】
任意選択で、本願の実施例において、前記指示情報は、ブロードキャストメッセージ又は無線リソース制御ＲＲＣに搬送される。
【０１１９】
任意選択で、本願の実施例において、前記ブロードキャストメッセージは、残り最小システム情報ＲＭＳＩ、他のシステム情報ＯＳＩ又は物理ブロードキャストチャネルＰＢＣＨである。
【０１２０】
任意選択で、本願の実施例において、前記送信ユニット３１０は、さらに、
前記端末デバイスの下りチャネル状態、セルカバレッジ状況、前記端末デバイスのバッテリ残量及び端末のサービス状況のうちの少なくとも１つに基づいて、前記端末デバイスに前記指示情報を送信するように構成される。
【０１２１】
任意選択で、本願の実施例において、前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する。
【０１２２】
任意選択で、本願の実施例において、前記デバイスは、
ｎ７、ｎ３８、ｎ４１、ｎ７７、ｎ７８又はｎ７９の周波数帯域の通信に使用される。
【０１２３】
なお、このネットワークデバイス３００は、本願の実施例による方法においてネットワークデバイスにより実施される対応する機能を実施してもよく、簡潔のためにここでは詳しい説明を省略する
図４は本願の実施例における端末デバイス４００のブロック図である。図４に示すように、該端末デバイス４００は、受信ユニット４１０を含み、
受信ユニット４１０は、ネットワークデバイスにより送信された、端末デバイスが使用する可能な受信アンテナポートの数又は最小数を示す指示情報を受信し、
前記指示情報に基づいて、下り受信を行うように構成される。 
任意選択で、図４に示すように、前記デバイス４００は、さらに、送信ユニット４２０を含み、
送信ユニット４２０は、前記ネットワークデバイスに受信アンテナポートの数又は最小数を要求するための要求メッセージを前記ネットワークデバイスに送信するように構成される。
【０１２４】
任意選択で、本願の実施例において、前記要求メッセージには、受信アンテナポートの数又は最小数を要求するための原因値、及び／又は所望の受信アンテナポートの数又は最小数が含まれる。
【０１２５】
任意選択で、本願の実施例において、前記指示情報は、ブロードキャストメッセージ又は無線リソース制御ＲＲＣに搬送される。
【０１２６】
任意選択で、本願の実施例において、前記ブロードキャストメッセージは、残り最小システム情報ＲＭＳＩ、他のシステム情報ＯＳＩ又は物理ブロードキャストチャネルＰＢＣＨである。
【０１２７】
任意選択で、本願の実施例において、前記指示情報は、さらに、
前記受信アンテナポートの数又は最小数に基づいて下り受信を行う時に受信する必要がある下りチャネル又は信号、
前記受信アンテナポートの数又は最小数に基づいて下り受信を行う時に必要とするＲＲＣ状態、
前記受信アンテナポートの数又は最小数に基づいて下り受信を行う時の現在の下りチャネルのチャネル状態、及び
前記受信アンテナポートの数又は最小数に基づいて下り受信を行う時の端末デバイスのサービス状況のうちの少なくとも１つを端末デバイスのために指示する。
【０１２８】
任意選択で、本願の実施例において、前記デバイスは、
ｎ７、ｎ３８、ｎ４１、ｎ７７、ｎ７８又はｎ７９の周波数帯域の通信に使用される。
【０１２９】
なお、端末デバイス４００は、本願の実施例の方法において端末デバイスにより実現される対応する機能を実現することができ、簡潔のためにここ説明を省略する。
【０１３０】
図５は、本願の実施例に係る通信デバイス５００の概略構成図である。図５に示す通信デバイス５００は、メモリからコンピュータプログラムを呼び出して実行することにより、本願の実施例における方法を実行するプロセッサ５１０を備える。
【０１３１】
任意選択で、図５に示されるように、通信デバイス５００は、メモリ５２０をさらに含み得る。プロセッサ５１０は、メモリ５２０からコンピュータプログラムを呼び出して実行し、本願の実施例における方法を実施する。
【０１３２】
ここで、メモリ５２０は、プロセッサ５１０とは独立した１つの別個の部品であってもよく、プロセッサ５１０に集積されてもよい。
【０１３３】
任意選択で、図５に示されるように、通信デバイス５００は、プロセッサ５１０が他のデバイスと通信するように制御することができる、具体的には、他のデバイスに情報またはデータを送信することができ、または他のデバイスによって送信された情報またはデータを受信することができる、送受信機５３０をさらに含むことができる。
【０１３４】
送受信機５３０は、送信機および受信機を含み得る。送受信機５３０は、１つ以上のアンテナをさらに含むことができる。
【０１３５】
任意選択で、通信デバイス５００は、特に、本願の実施例のネットワークデバイスであってもよく、通信デバイス５００は、本願の実施例の様々な方法においてネットワークデバイスにより実施される対応するフローを実施してもよく、簡潔のために、ここでは詳しい説明を省略する。
【０１３６】
任意選択で、通信デバイス５００は、特に、本願の実施例の移動端末/端末デバイスであってもよく、通信デバイス５００は、本願の実施例の各方法において移動端末/端末デバイスによって実現される対応するフローを実現してもよく、簡潔のためにここでは詳しい説明を省略する。
【０１３７】
図６は、本願の実施例におけるチップの概略構成図である。図６に示されるチップ６００は、メモリからコンピュータプログラムを呼び出して実行することにより、本願の実施例における方法を実行することができるプロセッサ６１０を含む。
【０１３８】
任意選択で、図６に示されるように、チップ６００は、メモリ６２０をさらに含んでもよい。プロセッサ６１０は、メモリ６２０からコンピュータプログラムを呼び出して実行することにより、本願の実施例における方法を実施する。
【０１３９】
ここで、メモリ６２０は、プロセッサ６１０とは独立した１つの別個の部品であってもよく、プロセッサ６１０に集積されてもよい。
【０１４０】
任意選択で、チップ６００は、入力インターフェース６３０をさらに含むことができる。プロセッサ６１０は、入力インターフェース６３０を制御して、他のデバイスまたはチップと通信してもよく、具体的には、他のデバイスまたはチップによって送信された情報またはデータを取得してもよい。
【０１４１】
任意選択で、チップ６００は、出力インターフェース６４０をさらに含むことができる。プロセッサ６１０は、出力インターフェース６４０を制御して、他のデバイス又はチップと通信してもよく、具体的には、他のデバイス又はチップに情報又はデータを出力してもよい。
【０１４２】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０１４３】
任意選択で、チップは、本願の実施例における移動端末/端末デバイスに適用されてもよく、チップは、本願の実施例の様々な方法における移動端末/端末デバイスによって実施される対応するフローを実施してもよく、簡潔さのためにここでは詳しい説明を省略する。
【０１４４】
なお、本願の実施例で言及されるチップは、システムチップ、チップシステム、またはシステムオンチップなどと呼ばれることもある
図７は、本願の実施例によって提供される通信システム７００の概略ブロック図である。図７に示すように、通信システム７００は、端末デバイス７１０と、ネットワークデバイス７２０とを有する。
【０１４５】
ここで、該端末デバイス７１０は、上記方法のうち端末デバイスによって実現される対応する機能を実現するために使用され、該ネットワークデバイス７２０は、上記方法のうちネットワークデバイスによって実現される対応する機能を実現するために使用され、簡潔にするために、ここでは詳しい説明を省略する。
【０１４６】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１４７】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されない。
【０１４８】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１４９】
本願の実施例は、コンピュータプログラムを記憶するためのコンピュータ可読記憶媒体をさらに提供する。
【０１５０】
任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させる。
【０１５１】
任意選択で、コンピュータ読み取り可能な記憶媒体は、本願の実施例における移動端末/端末デバイスに適用されてもよく、コンピュータプログラムは、コンピュータに、本願の実施例の各方法における移動端末/端末デバイスによって実現される対応するフローを実行させるが、簡潔にするために、ここでは詳しい説明は省略する。
【０１５２】
本願の実施例は、コンピュータプログラム命令を含むコンピュータプログラム製品も提供する。
【０１５３】
任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明は省略する。
【０１５４】
任意選択で、コンピュータプログラム製品は、本願の実施例における移動端末/端末デバイスに適用されてもよく、コンピュータプログラム命令は、コンピュータに、本願の実施例の各方法における移動端末/端末デバイスによって実施される対応するフローを実行させ、簡潔にするために、ここでは詳しい説明は省略する。
【０１５５】
本願の実施例は、コンピュータプログラムをさらに提供する。
【０１５６】
任意選択で、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔のために、ここでは詳しい説明は省略する。
【０１５７】
任意選択で、プログラムがコンピュータ上で実行される場合、コンピュータに、本願の実施例に係る各方法のうち移動端末機で実現される対応する工程を実行させてもよく、簡潔のために、ここでは詳しい説明は省略する。
【０１５８】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５９】
当業者であれば、説明の便宜及び簡潔にするために、上記に説明されたシステム、装置及びユニットの特定の動作プロセスが、前述の方法の実施例における対応するプロセスを参照してよく、ここでその説明が省略される。
【０１６０】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１６２】
また、本願の各実施例における各機能部は、１つの処理部に集積されてもよいし、各部は、物理的に別個に存在してもよいし、２つ以上の部が１つの部に集積されてもよい。
【０１６３】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ−ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１６４】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【手続補正２】
【補正対象書類名】特許請求の範囲
【補正対象項目名】全文
【補正方法】変更
【補正の内容】
【特許請求の範囲】
【請求項１】
端末デバイスが使用する可能な受信アンテナポートの数又は最小数を示す指示情報を前記端末デバイスに送信することを含む
ことを特徴とする無線通信方法。
【請求項２】
前記方法は、さらに、
前記端末により送信された、ネットワークデバイスに受信アンテナポートの数又は最小数を要求するための要求メッセージを受信することを含み、
前記端末デバイスに指示情報を送信することは、
前記要求メッセージに基づいて、前記指示情報を送信することを含む
ことを特徴とする請求項１に記載の無線通信方法。
【請求項３】
前記要求メッセージには、受信アンテナポートの数又は最小数を要求するための原因値、及び／又は所望の受信アンテナポートの数又は最小数が含まれる
ことを特徴とする請求項２に記載の無線通信方法。
【請求項４】
前記指示情報は、ブロードキャストメッセージ又は無線リソース制御ＲＲＣに搬送される
ことを特徴とする請求項１〜３のいずれか１項に記載の無線通信方法。
【請求項５】
ネットワークデバイスにより送信された、端末デバイスが使用する可能な受信アンテナポートの数又は最小数を示す指示情報を受信することと、
前記指示情報に基づいて、下り受信を行うこととを含む
ことを特徴とする無線通信方法。
【請求項６】
前記方法は、さらに、
前記ネットワークデバイスに受信アンテナポートの数又は最小数を要求するための要求メッセージを前記ネットワークデバイスに送信することを含む
ことを特徴とする請求項５に記載の無線通信方法。
【請求項７】
前記要求メッセージには、受信アンテナポートの数又は最小数を要求するための原因値、及び／又は所望の受信アンテナポートの数又は最小数が含まれる
ことを特徴とする請求項６に記載の無線通信方法。
【請求項８】
前記指示情報は、ブロードキャストメッセージ又は無線リソース制御ＲＲＣに搬送される
ことを特徴とする請求項５〜７のいずれか１項に記載の無線通信方法。
【請求項９】
請求項１〜４のいずれか１項に記載の方法を実行する
ことを特徴とするネットワークデバイス。
【請求項１０】
受信ユニットを備える端末デバイスであって、
前記受信ユニットは、ネットワークデバイスにより送信された、端末デバイスが使用する可能な受信アンテナポートの数又は最小数を示す指示情報を受信し、
前記指示情報に基づいて、下り受信を行うように構成される
ことを特徴とする端末デバイス。
【請求項１１】
前記端末デバイスは、さらに、送信ユニットを含み、
前記送信ユニットは、前記ネットワークデバイスに受信アンテナポートの数又は最小数を要求するための要求メッセージを前記ネットワークデバイスに送信するように構成される
ことを特徴とする請求項１０に記載の端末デバイス。
【請求項１２】
前記要求メッセージには、受信アンテナポートの数又は最小数を要求するための原因値、及び／又は所望の受信アンテナポートの数又は最小数が含まれる
ことを特徴とする請求項１１に記載の端末デバイス。
【請求項１３】
前記指示情報は、ブロードキャストメッセージ又は無線リソース制御ＲＲＣに搬送される
ことを特徴とする請求項１０〜１２のいずれか１項に記載の端末デバイス。
【請求項１４】
コンピュータプログラムをメモリから呼び出して、請求項１〜８のいずれか１項に記載の方法をチップが搭載された装置に実行させるプロセッサを有する
ことを特徴とするチップ。
【請求項１５】
請求項１〜８のいずれか１項に記載の方法をコンピュータに実行させる
ことを特徴とするコンピュータプログラム。
【手続補正３】
【補正対象書類名】図面
【補正対象項目名】全図
【補正方法】変更
【補正の内容】
【図１】
2021530886.tif 000010
【図２】
2021530886.tif 000011
【図３】
2021530886.tif 000012
【図４】
2021530886.tif 000013
【図５】
2021530886.tif 000014
【図６】
2021530886.tif 000015
【図７】
2021530886.tif 000016
【国際調査報告】
2021530886.tif 000017
2021530886.tif 000018
2021530886.tif 000019
2021530886.tif 000020